(57)【要約】【課題】ユーザが電子機器に対して行う操作と当該電子機器内で実行される処理とを連想し易いテキスト表示装置を提供する。【解決手段】テキスト表示装置１００は、ディスプレイ１４０と、タッチパネル２４０と、操作命令を受け付ける受付手段１１０１と、ディスプレイにテキストのうちの表示対象エリアを縦書きあるいは横書きにて表示させる第１の表示制御手段１１０３と、テキストが縦書きで表示されている場合において、第１の操作命令を受け付けたときに表示対象エリアを先に進め、第２の操作命令を受け付けたときに表示対象エリアを前に戻すページ制御手段１１０２とを備える。ページ制御手段は、テキストが横書きで表示されている場合において、第１の操作命令を受け付けたときに表示対象エリアを前に戻し、第２の操作命令を受け付けたときに表示対象エリアを先に進める。【選択図】図１９
2010204729.tif 000002
【特許請求の範囲】
【請求項１】
ディスプレイと、
タッチパネルと、
前記タッチパネルを介して第１および第２の操作命令のいずれかを受け付ける受付手段と、
前記ディスプレイに、テキストのうちの表示対象エリアを縦書きあるいは横書きにて表示させる第１の表示制御手段と、
前記テキストが縦書きで表示されている場合において、前記受付手段が前記第１の操作命令を受け付けたときに前記表示対象エリアを先に進め、前記受付手段が前記第２の操作命令を受け付けたときに前記表示対象エリアを前に戻すページ制御手段とを備え、
前記ページ制御手段は、前記テキストが横書きで表示されている場合において、前記受付手段が前記第１の操作命令を受け付けたときに前記表示対象エリアを前に戻し、前記受付手段が前記第２の操作命令を受け付けたときに前記表示対象エリアを先に進める、テキスト表示装置。
【請求項２】
前記受付手段は、前記タッチパネルを介して第３および第４の操作命令のいずれかを受け付け、
前記ページ制御手段は、
前記テキストが縦書きで表示されている場合において、前記受付手段が前記第１の操作命令を受け付けたときに前記表示対象エリアを第１の量だけ先に進め、前記受付手段が前記第２の操作命令を受け付けたときに前記表示対象エリアを前記第１の量だけ前に戻し、前記受付手段が前記第３の操作命令を受け付けたときに前記表示対象エリアを第２の量だけ先に進め、前記受付手段が前記第４の操作命令を受け付けたときに前記表示対象エリアを前記第２の量だけ前に戻し、
前記テキストが横書きで表示されている場合において、前記受付手段が前記第１の操作命令を受け付けたときに前記表示対象エリアを前記第１の量だけ前に戻し、前記受付手段が前記第２の操作命令を受け付けたときに前記表示対象エリアを前記第１の量だけ先に進め、前記受付手段が前記第３の操作命令を受け付けたときに前記表示対象エリアを前記第２の量だけ前に戻し、前記受付手段が前記第４の操作命令を受け付けたときに前記表示対象エリアを前記第２の量だけ先に進める、請求項１に記載のテキスト表示装置。
【請求項３】
前記第１の表示制御手段は、前記表示対象エリア中の第１のエリア内の文字を第１のスタイルで表示するとともに、前記表示対象エリア中の前記第１のエリアを除く第２のエリア内の文字を第２のスタイルで表示し、
前記第１の量は、前記表示対象エリアの大きさに対応し、
前記第２の量は、前記第１のエリアの大きさに対応する、請求項２に記載のテキスト表示装置。
【請求項４】
前記ページ制御手段は、
前記テキストが縦書きで表示されている場合において、前記受付手段が前記第１の操作命令を受け付けたときに前記表示対象エリアを第１の量だけ先に進め、前記受付手段が前記第２の操作命令を受け付けたときに前記表示対象エリアを前記第１の量だけ前に戻し、
前記テキストが横書きで表示されている場合において、前記受付手段が前記第１の操作命令を受け付けたときに前記表示対象エリアを前記第１の量だけ前に戻し、前記受付手段が前記第２の操作命令を受け付けたときに前記表示対象エリアを前記第１の量だけ先に進め、
前記受付手段は、前記タッチパネルを介して第３および第４の操作命令のいずれかを受け付け、
前記表示制御手段は、
前記表示対象エリア中の第１のエリア内の文字を第１のスタイルで表示するとともに、前記表示対象エリア中の前記第１のエリアを除く第２のエリア内の文字を第２のスタイルで表示し、
前記テキストが縦書きで表示されている場合において、前記受付手段が前記第３の操作命令を受け付けたときに前記第１のエリアを第２の量だけ先に進め、前記受付手段が前記第４の操作命令を受け付けたときに前記第１のエリアを前記第２の量だけ前に戻し、
前記テキストが横書きで表示されている場合において、前記受付手段が前記第３の操作命令を受け付けたときに前記第１のエリアを前記第２の量だけ前に戻し、前記受付手段が前記第４の操作命令を受け付けたときに前記第１のエリアを前記第２の量だけ先に進め、
前記第１の量は、前記表示対象エリアの大きさに対応し、
前記第２の量は、前記第１のエリアの大きさに対応する、請求項１に記載のテキスト表示装置。
【請求項５】
前記受付手段は、
前記タッチパネルを介して、接触箇所が所定の方向へ移動したか否かを判断する方向判断手段と、
前記タッチパネルを介して、前記接触箇所が所定の距離以上移動したか否かを判断する距離判断手段と、
前記接触箇所が所定の距離以上第１の方向へ移動したときに前記第１の操作命令を受け付けたと判断し、前記接触箇所が所定の距離以上第２の方向へ移動したときに前記第２の操作命令を受け付けたと判断し、前記接触箇所が所定の距離未満前記第１の方向へ移動したときに前記第３の操作命令を受け付けたと判断し、前記接触箇所が所定の距離未満前記第２の方向へ移動したときに前記第４の操作命令を受け付けたと判断する命令判断手段とを含む、請求項２から４のいずれかに記載のテキスト表示装置。
【請求項６】
前記受付手段は、
前記タッチパネルを介して、接触箇所が所定の方向へ移動したか否かを判断する方向判断手段と、
前記タッチパネルを介して、前記接触箇所が所定のエリア内を通ったか否かを判断するエリア判断手段と、
前記接触箇所が第１の所定のエリアを通って第１の方向へ移動したときに前記第１の操作命令を受け付けたと判断し、前記接触箇所が第２の所定のエリアを通って第２の方向へ移動したときに前記第２の操作命令を受け付けたと判断し、前記接触箇所が第３の所定のエリアを通って前記第１の方向へ移動したときに前記第３の操作命令を受け付けたと判断し、前記接触箇所が第４の所定のエリアを通って前記第２の方向へ移動したときに前記第４の操作命令を受け付けたと判断する命令判断手段とを含む、請求項２から４のいずれかに記載のテキスト表示装置。
【請求項７】
前記タッチパネルは、複数の接触箇所を検知可能であって、
前記受付手段は、
前記タッチパネルを介して、前記複数の接触箇所を検知したか否かを判断する個数判断手段と、
前記タッチパネルを介して、少なくとも１つの前記接触箇所の各々が所定の方向へ移動したか否かを判断する方向判断手段と、
前記複数の接触箇所が第１の方向へ移動したときに前記第１の操作命令を受け付けたと判断し、前記複数の接触箇所が第２の方向へ移動したときに前記第２の操作命令を受け付けたと判断し、１つの前記接触箇所が前記第１の方向へ移動したときに前記第３の操作命令を受け付けたと判断し、１つの前記接触箇所が前記第２の方向へ移動したときに前記第４の操作命令を受け付けたと判断する命令判断手段とを含む、請求項２から４のいずれかに記載のテキスト表示装置。
【請求項８】
前記タッチパネルは、接触領域を検知可能であって、
前記受付手段は、
前記タッチパネルを介して、前記接触領域の形状が所定の条件を満たすか否かを判断する形状判断手段と、
前記タッチパネルを介して、前記接触領域が所定の方向へ移動したか否かを判断する方向判断手段と、
前記所定の条件を満たす前記接触領域が第１の方向に移動したときに前記第１の操作命令を受け付けたと判断し、前記所定の条件を満たす前記接触領域が第２の方向に移動したときに前記第２の操作命令を受け付けたと判断し、前記所定の条件を満たさない前記接触領域が前記第１の方向に移動したときに前記第３の操作命令を受け付けたと判断し、前記所定の条件を満たさない前記接触領域が前記第２の方向に移動したときに前記第４の操作命令を受け付けたと判断する命令判断手段とを含む、請求項２から４のいずれかに記載のテキスト表示装置。
【請求項９】
前記形状判断手段は、
前記接触領域の面積が所定の値以上であるか否かを判断し、
前記接触領域の面積が前記所定の値以上である場合、当該接触領域の形状が前記所定の条件を満たすと判断し、
前記接触領域の面積が前記所定の値未満である場合、当該接触領域の形状が前記所定の条件を満たさないと判断する、請求項８に記載のテキスト表示装置。
【請求項１０】
前記タッチパネルは、
入射光に応じて第１の信号を生成する複数の光センサ回路と、
第２の信号に応じて光を発する複数の画素回路とを含み、
前記受付手段は、前記複数の光センサ回路からの前記第１の信号に基づいて前記操作命令を受け付け、
前記複数の画素回路に前記第２の信号を出力することによって、前記タッチパネルに書籍の画像を表示させる第２の表示制御手段をさらに備える、請求項１から９のいずれかに記載のテキスト表示装置。
【請求項１１】
テキストデータと縦書きあるいは横書きを示す情報とを対応付けて格納する記憶部をさらに備え、
前記第１の表示制御手段は、前記テキストデータと当該テキストデータに対応する前記情報とに基づいて、前記ディスプレイに前記テキストのうちの前記表示対象エリアを縦書きあるいは横書きにて表示させる、請求項１から１０のいずれかに記載のテキスト表示装置。
【請求項１２】
前記受付手段は、
縦書き表示を行なうための第１の命令および横書き表示を行なうため第２の命令を受け付け、
前記第１および第２の命令に基づいて前記情報を更新する、請求項１１に記載のテキスト表示装置。
【請求項１３】
ディスプレイとタッチパネルと演算処理部とを備えるコンピュータにおけるテキスト表示方法であって、
前記演算処理部が、前記ディスプレイに、テキストのうちの表示対象エリアを縦書きあるいは横書きにて表示させるステップと、
前記演算処理部が、前記タッチパネルを介して第１および第２の操作命令のいずれかを受け付けるステップと、
前記演算処理部が、前記テキストが縦書きで表示されている場合において、前記第１の操作命令に応じて前記表示対象エリアを先に進めるステップと、
前記演算処理部が、前記テキストが縦書きで表示されている場合において、前記第２の操作命令に応じて前記表示対象エリアを前に戻すステップと、
前記演算処理部が、前記テキストが横書きで表示されている場合において、前記第１の操作命令に応じて前記表示対象エリアを前に戻すステップと、
前記演算処理部が、前記テキストが横書きで表示されている場合において、前記第２の操作命令に応じて前記表示対象エリアを先に進めるステップとを備える、テキスト表示方法。
【請求項１４】
ディスプレイとタッチパネルと演算処理部とを備えるコンピュータにテキストを表示させるためのテキスト表示プログラムであって、
前記演算処理部に、
前記ディスプレイに、テキストのうちの表示対象エリアを縦書きあるいは横書きにて表示させるステップと、
前記タッチパネルを介して第１および第２の操作命令のいずれかを受け付けるステップと、
前記テキストが縦書きで表示されている場合において、前記第１の操作命令に応じて前記表示対象エリアを先に進めるステップと、
前記テキストが縦書きで表示されている場合において、前記第２の操作命令に応じて前記表示対象エリアを前に戻すステップと、
前記テキストが横書きで表示されている場合において、前記第１の操作命令に応じて前記表示対象エリアを前に戻すステップと、
前記テキストが横書きで表示されている場合において、前記第２の操作命令に応じて前記表示対象エリアを先に進めるステップとを実行させる、テキスト表示プログラム。
【発明の詳細な説明】
【技術分野】
【０００１】
本発明は、電子書籍などのテキストを表示するテキスト表示装置、テキスト表示方法、およびテキスト表示プログラムに関し、特に、テキストを表示するための表示パネルとタッチ操作を受け付けるタッチパネルとを有するテキスト表示装置、テキスト表示方法、およびテキスト表示プログラムに関する。
【背景技術】
【０００２】
画像やテキストなどを表示（再生）することができる電子機器（テキスト表示装置）が知られている。そのような電子機器の中には、表示パネルと操作パネルとを有するものがある。より詳細には、電子機器は、表示パネルを介してユーザに画像やテキストを表示するとともに、タブレット機能などを搭載した操作パネルを介してユーザから各種の命令を受け付ける。そのような電子機器としては、ノート型のパーソナルコンピュータや携帯電話などが挙げられる。
【０００３】
たとえば、特開２０００−１７２３９５号公報（特許文献１）には、小さな携帯情報端末やスマートフォン向けのコンパクトＧＵＩシステムが開示されている。特開２０００−１７２３９５号公報（特許文献１）によると、メニューバー（＋ツールバー）及び各メニューを開いたコマンド一覧表や各項目を開いたダイアログボックスの位置を開いたコンテンツ表示部を動かすことなく自由に移動できる。コンテンツ表示部をメニューバー（＋ツールバー）やコマンド一覧表及びダイアロッグボックスの上に重ねて表示できる、またこの逆も可能となる。さらにそれらをそれぞれ縮少、拡大できる。同一ソフトで異なる二つの画面を開いた場合、それぞれに対応する同一のメニューバー（＋ツールバー）は別々に表示されるのではなく一つに統合して表示される。対象とする携帯情報端末が二つの独立したディスプレイ部を持つ場合、メニューバー（＋ツールバー）をコンテンツ表示部画面が開かれているディスプレイとは別のディスプレイに分割して表示できる。
【０００４】
また、近年、電子書籍を表示する電子機器が知られている。このような、電子機器の中には、タッチパネルを介してユーザからページをめくるための命令を受け付けるとともに、当該タッチパネルを介してユーザに次のページを表示するものがある。
【先行技術文献】
【特許文献】
【０００５】
【特許文献１】特開２０００−１７２３９５号公報
【発明の概要】
【発明が解決しようとする課題】
【０００６】
しかしながら、電子機器は仮想の書籍（テキスト）を実現するものである。そのため、タッチパネルを介して電子機器に対してユーザが行うべき操作は、現実の書籍（テキスト）に対してユーザが行うべき現実の操作に、直感的に関連していることが好ましい。たとえば、ユーザは、自身が電子機器に対して行う操作から、当該電子機器内で実行される処理を容易に連想できることが好ましい。換言すれば、ユーザは、自身が所望する電子機器の処理に基づいて、自身が行うべき操作を想像できることが好ましい。
【０００７】
本発明は、かかる問題を解決するためになされたものであり、その目的は、ユーザが電子機器に対して行う操作と当該電子機器内で実行される処理とを連想し易いテキスト表示装置、テキスト表示方法、およびテキスト表示プログラムを提供することである。
【課題を解決するための手段】
【０００８】
この発明のある局面に従うと、テキスト表示装置が提供される。テキスト表示装置は、ディスプレイと、タッチパネルと、タッチパネルを介して第１および第２の操作命令のいずれかを受け付ける受付手段と、ディスプレイに、テキストのうちの表示対象エリアを縦書きあるいは横書きにて表示させる第１の表示制御手段と、テキストが縦書きで表示されている場合において、受付手段が第１の操作命令を受け付けたときに表示対象エリアを先に進め、受付手段が第２の操作命令を受け付けたときに表示対象エリアを前に戻すページ制御手段とを備える。ページ制御手段は、テキストが横書きで表示されている場合において、受付手段が第１の操作命令を受け付けたときに表示対象エリアを前に戻し、受付手段が第２の操作命令を受け付けたときに表示対象エリアを先に進める。
【０００９】
好ましくは、受付手段は、タッチパネルを介して第３および第４の操作命令のいずれかを受け付ける。ページ制御手段は、テキストが縦書きで表示されている場合において、受付手段が第１の操作命令を受け付けたときに表示対象エリアを第１の量だけ先に進め、受付手段が第２の操作命令を受け付けたときに表示対象エリアを第１の量だけ前に戻し、受付手段が第３の操作命令を受け付けたときに表示対象エリアを第２の量だけ先に進め、受付手段が第４の操作命令を受け付けたときに表示対象エリアを第２の量だけ前に戻す。ページ制御手段は、テキストが横書きで表示されている場合において、受付手段が第１の操作命令を受け付けたときに表示対象エリアを第１の量だけ前に戻し、受付手段が第２の操作命令を受け付けたときに表示対象エリアを第１の量だけ先に進め、受付手段が第３の操作命令を受け付けたときに表示対象エリアを第２の量だけ前に戻し、受付手段が第４の操作命令を受け付けたときに表示対象エリアを第２の量だけ先に進める。
【００１０】
好ましくは、第１の表示制御手段は、表示対象エリア中の第１のエリア内の文字を第１のスタイルで表示するとともに、表示対象エリア中の第１のエリアを除く第２のエリア内の文字を第２のスタイルで表示する。第１の量は、表示対象エリアの大きさに対応する。第２の量は、第１のエリアの大きさに対応する。
【００１１】
好ましくは、ページ制御手段は、テキストが縦書きで表示されている場合において、受付手段が第１の操作命令を受け付けたときに表示対象エリアを第１の量だけ先に進め、受付手段が第２の操作命令を受け付けたときに表示対象エリアを第１の量だけ前に戻す。ページ制御手段は、テキストが横書きで表示されている場合において、受付手段が第１の操作命令を受け付けたときに表示対象エリアを第１の量だけ前に戻し、受付手段が第２の操作命令を受け付けたときに表示対象エリアを第１の量だけ先に進める。受付手段は、タッチパネルを介して第３および第４の操作命令のいずれかを受け付ける。表示制御手段は、表示対象エリア中の第１のエリア内の文字を第１のスタイルで表示するとともに、表示対象エリア中の第１のエリアを除く第２のエリア内の文字を第２のスタイルで表示する。表示制御手段は、テキストが縦書きで表示されている場合において、受付手段が第３の操作命令を受け付けたときに第１のエリアを第２の量だけ先に進め、受付手段が第４の操作命令を受け付けたときに第１のエリアを第２の量だけ前に戻す。表示制御手段は、テキストが横書きで表示されている場合において、受付手段が第３の操作命令を受け付けたときに第１のエリアを第２の量だけ前に戻し、受付手段が第４の操作命令を受け付けたときに第１のエリアを第２の量だけ先に進める。第１の量は、表示対象エリアの大きさに対応する。第２の量は、第１のエリアの大きさに対応する。
【００１２】
好ましくは、受付手段は、タッチパネルを介して、接触箇所が所定の方向へ移動したか否かを判断する方向判断手段と、タッチパネルを介して、接触箇所が所定の距離以上移動したか否かを判断する距離判断手段と、接触箇所が所定の距離以上第１の方向へ移動したときに第１の操作命令を受け付けたと判断し、接触箇所が所定の距離以上第２の方向へ移動したときに第２の操作命令を受け付けたと判断し、接触箇所が所定の距離未満第１の方向へ移動したときに第３の操作命令を受け付けたと判断し、接触箇所が所定の距離未満第２の方向へ移動したときに第４の操作命令を受け付けたと判断する命令判断手段とを含む。
【００１３】
好ましくは、受付手段は、タッチパネルを介して、接触箇所が所定の方向へ移動したか否かを判断する方向判断手段と、タッチパネルを介して、接触箇所が所定のエリア内を通ったか否かを判断するエリア判断手段と、接触箇所が第１の所定のエリアを通って第１の方向へ移動したときに第１の操作命令を受け付けたと判断し、接触箇所が第２の所定のエリアを通って第２の方向へ移動したときに第２の操作命令を受け付けたと判断し、接触箇所が第３の所定のエリアを通って第１の方向へ移動したときに第３の操作命令を受け付けたと判断し、接触箇所が第４の所定のエリアを通って第２の方向へ移動したときに第４の操作命令を受け付けたと判断する命令判断手段とを含む。
【００１４】
好ましくは、タッチパネルは、複数の接触箇所を検知可能である。受付手段は、タッチパネルを介して、複数の接触箇所を検知したか否かを判断する個数判断手段と、タッチパネルを介して、少なくとも１つの接触箇所の各々が所定の方向へ移動したか否かを判断する方向判断手段と、複数の接触箇所が第１の方向へ移動したときに第１の操作命令を受け付けたと判断し、複数の接触箇所が第２の方向へ移動したときに第２の操作命令を受け付けたと判断し、１つの接触箇所が第１の方向へ移動したときに第３の操作命令を受け付けたと判断し、１つの接触箇所が第２の方向へ移動したときに第４の操作命令を受け付けたと判断する命令判断手段とを含む。
【００１５】
好ましくは、タッチパネルは、接触領域を検知可能である。受付手段は、タッチパネルを介して、接触領域の形状が所定の条件を満たすか否かを判断する形状判断手段と、タッチパネルを介して、接触領域が所定の方向へ移動したか否かを判断する方向判断手段と、所定の条件を満たす接触領域が第１の方向に移動したときに第１の操作命令を受け付けたと判断し、所定の条件を満たす接触領域が第２の方向に移動したときに第２の操作命令を受け付けたと判断し、所定の条件を満たさない接触領域が第１の方向に移動したときに第３の操作命令を受け付けたと判断し、所定の条件を満たさない接触領域が第２の方向に移動したときに第４の操作命令を受け付けたと判断する命令判断手段とを含む。
【００１６】
好ましくは、形状判断手段は、接触領域の面積が所定の値以上であるか否かを判断し、接触領域の面積が所定の値以上である場合、当該接触領域の形状が所定の条件を満たすと判断し、接触領域の面積が所定の値未満である場合、当該接触領域の形状が所定の条件を満たさないと判断する。
【００１７】
好ましくは、タッチパネルは、入射光に応じて第１の信号を生成する複数の光センサ回路と、第２の信号に応じて光を発する複数の画素回路とを含む。受付手段は、複数の光センサ回路からの第１の信号に基づいて操作命令を受け付ける。テキスト表示装置は、複数の画素回路に第２の信号を出力することによって、タッチパネルに書籍の画像を表示させる第２の表示制御手段をさらに備える。
【００１８】
好ましくは、テキスト表示装置は、テキストデータと縦書きあるいは横書きを示す情報とを対応付けて格納する記憶部をさらに備える。第１の表示制御手段は、テキストデータと当該テキストデータに対応する情報とに基づいて、ディスプレイにテキストのうちの表示対象エリアを縦書きあるいは横書きにて表示させる。
【００１９】
好ましくは、受付手段は、縦書き表示を行なうための第１の命令および横書き表示を行なうため第２の命令を受け付け、第１および第２の命令に基づいて情報を更新する。
【００２０】
この発明の別の局面に従うと、ディスプレイとタッチパネルと演算処理部とを備えるコンピュータにおけるテキスト表示方法が提供される。テキスト表示方法は、演算処理部が、ディスプレイに、テキストのうちの表示対象エリアを縦書きあるいは横書きにて表示させるステップと、演算処理部が、タッチパネルを介して第１および第２の操作命令のいずれかを受け付けるステップと、演算処理部が、テキストが縦書きで表示されている場合において、第１の操作命令に応じて表示対象エリアを先に進めるステップと、演算処理部が、テキストが縦書きで表示されている場合において、第２の操作命令に応じて表示対象エリアを前に戻すステップと、演算処理部が、テキストが横書きで表示されている場合において、第１の操作命令に応じて表示対象エリアを前に戻すステップと、演算処理部が、テキストが横書きで表示されている場合において、第２の操作命令に応じて表示対象エリアを先に進めるステップとを備える。
【００２１】
この発明の別の局面に従うと、ディスプレイとタッチパネルと演算処理部とを備えるコンピュータにテキストを表示させるためのテキスト表示プログラムが提供される。テキスト表示プログラムは、演算処理部に、ディスプレイに、テキストのうちの表示対象エリアを縦書きあるいは横書きにて表示させるステップと、タッチパネルを介して第１および第２の操作命令のいずれかを受け付けるステップと、テキストが縦書きで表示されている場合において、第１の操作命令に応じて表示対象エリアを先に進めるステップと、テキストが縦書きで表示されている場合において、第２の操作命令に応じて表示対象エリアを前に戻すステップと、テキストが横書きで表示されている場合において、第１の操作命令に応じて表示対象エリアを前に戻すステップと、テキストが横書きで表示されている場合において、第２の操作命令に応じて表示対象エリアを先に進めるステップとを実行させる。
【発明の効果】
【００２２】
以上のように、本発明によって、ユーザが電子機器に対して行う操作と当該電子機器内で実行される処理とを連想し易いテキスト表示装置、テキスト表示方法、およびテキスト表示プログラムが提供される。
【図面の簡単な説明】
【００２３】
【図１】実施の形態１に係る電子機器の外観を示す第１のイメージ図である。
【図２】実施の形態１に係る電子機器の外観を示す第２のイメージ図である。
【図３】電子機器のハードウェア構成を表わすブロック図である。
【図４】表示パネルの構成と当該表示パネルの周辺回路とを示した図である。
【図５】表示パネルとバックライトとの断面図である。
【図６】光センサ回路を動作させる際のタイミングチャートを示した図である。
【図７】スキャンの際にフォトダイオードがバックライトからの光を受光する構成を示した断面図である。
【図８】コマンドの概略構成を示した図である。
【図９】種別「０００」のコマンドを説明するための図である。
【図１０】種別「００１」のコマンドを説明するための図である。
【図１１】種別「０１０」のコマンドを説明するための図である。
【図１２】種別「０１１」のコマンドを説明するための図である。
【図１３】種別「１００」のコマンドを説明するための図である。
【図１４】種別「１０１」のコマンドを説明するための図である。
【図１５】応答データの概略構成を示した図である。
【図１６】指をスキャンすることにより得られた画像（スキャン画像）を示した図である。
【図１７】スキャンの際にフォトダイオードが外光を受光する構成を示した断面図である。
【図１８】電子機器の変形例のハードウェア構成を表すブロック図である。
【図１９】実施の形態１に係る電子機器の機能構成を示すブロック図である。
【図２０】第２の表示パネルが表示する画像を示すイメージ図である。
【図２１】本実施の形態に係る電子機器におけるテキスト表示処理の処理手順を示すフローチャートである。
【図２２】実施の形態１に係る電子機器における縦処理の処理手順を示すフローチャートである。
【図２３】実施の形態１に係る電子機器における横処理の処理手順を示すフローチャートである。
【図２４】実施の形態２に係る電子機器の外観を示すイメージ図である。
【図２５】実施の形態２に係る電子機器の機能構成を示すブロック図である。
【図２６】実施の形態２に係る電子機器における縦処理の処理手順を示すフローチャートである。
【図２７】実施の形態２に係る電子機器における横処理の処理手順を示すフローチャートである。
【図２８】実施の形態２に係る電子機器の変形例の外観を示すイメージ図である。
【図２９】実施の形態３に係る電子機器の外観を示す第１のイメージ図である。
【図３０】実施の形態３に係る電子機器の外観を示す第２のイメージ図である。
【図３１】実施の形態３に係る電子機器の外観を示す第３のイメージ図である。
【図３２】実施の形態３に係る電子機器の外観を示す第４のイメージ図である。
【図３３】実施の形態３に係る電子機器の機能構成を示すブロック図である。
【図３４】実施の形態３に係る電子機器における縦処理の処理手順を示すフローチャートである。
【図３５】実施の形態３に係る電子機器における横処理の処理手順を示すフローチャートである。
【図３６】実施の形態４に係る電子機器の外観を示すイメージ図である。
【図３７】実施の形態４に係る電子機器の機能構成を示すブロック図である。
【図３８】実施の形態４に係る電子機器における縦処理の処理手順を示すフローチャートである。
【図３９】実施の形態４に係る電子機器における横処理の処理手順を示すフローチャートである。
【図４０】実施の形態４に係る電子機器の変形例の機能構成を示すブロック図である。
【図４１】実施の形態４の変形例に係る電子機器における縦処理の処理手順を示すフローチャートである。
【図４２】実施の形態４の変形例に係る電子機器における横処理の処理手順を示すフローチャートである。
【発明を実施するための形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
［実施の形態１］
＜電子機器１００の全体構成＞
まず、本実施の形態に係るテキスト表示装置の一例である電子機器１００の全体構成について説明する。
【００２６】
図１は、本実施の形態に係る電子機器１００の外観を示す第１のイメージ図である。より詳細には、図１（Ａ）は第１の表示パネル１４０（あるいは表示装置１０２Ａ）がテキストの３ページ目を縦書きで表示した状態の電子機器１００のイメージ図である。図１（Ｂ）は第２の表示パネル２４０（タッチパネル）に右方向のタッチ操作が入力されたときの電子機器１００のイメージ図である。図１（Ｃ）はテキストを１ページ進めた状態の電子機器１００のイメージ図である。図１（Ｄ）は第２の表示パネル２４０（タッチパネル）に左方向のタッチ操作が入力されたときの電子機器１００のイメージ図である。図１（Ｅ）はテキストを１ページ戻した状態の電子機器１００のイメージ図である。
【００２７】
図２は、本実施の形態に係る電子機器１００の外観を示す第２のイメージ図である。より詳細には、図２（Ａ）は第１の表示パネル１４０（あるいは表示装置１０２Ａ）がテキストの３ページ目を横書きで表示した状態の電子機器１００のイメージ図である。図２（Ｂ）は第２の表示パネル２４０（タッチパネル）に右方向のタッチ操作が入力されたときの電子機器１００のイメージ図である。図２（Ｃ）はテキストを１ページ戻した状態の電子機器１００のイメージ図である。図２（Ｄ）は第２の表示パネル２４０（タッチパネル）に左方向のタッチ操作が入力されたときの電子機器１００のイメージ図である。図２（Ｅ）はテキストを１ページ進めた状態の電子機器１００のイメージ図である。
【００２８】
図１および図２を参照して、電子機器１００は、第１の筐体１００Ａと第２の筐体１００Ｂとを含む。第１の筐体１００Ａと第２の筐体１００Ｂとは、ヒンジ１００Ｃにより折畳み可能に接続されている。第１の筐体１００Ａは、第１の光センサ内蔵液晶パネル１４０（以下、第１の表示パネル１４０ともいう。）を含む。第２の筐体１００Ｂは、操作キーと第２の光センサ内蔵液晶パネル２４０（以下、第２の表示パネル２４０あるいはサブ画面あるいはタッチパネルともいう。）を含む。
【００２９】
このように、本実施の形態に係る電子機器１００は、光センサ内蔵液晶パネルを２つ備える。なお、電子機器１００は、ＰＤＡ（Personal  Digital  Assistant）、ノート型のパーソナルコンピュータ、携帯型電話機、電子辞書などの、表示機能を有する携帯型デバイスである。
【００３０】
そして、本実施の形態に係る電子機器１００は、第１の表示パネル１４０を用いて電子書籍などのテキストや画像を表示するとともに、操作キー１７７および第２の表示パネル２４０を介してユーザからの操作命令を受け付ける。第２の表示パネル２４０は、第１の表示パネル１４０に表示されるポインタを移動させるための命令や、第１の表示パネル１４０に表示される書籍などの表示を制御するための命令を受け付ける。
【００３１】
なお、第１の表示パネル１４０は、光センサ内蔵液晶パネルである必要はなく、テキストが表示可能であればよい。一方、第２の表示パネル２４０は、ユーザによるタッチ操作を検出できる必要があるため、タブレット機能を有するタッチパネルや、光センサ内蔵液晶パネルであることが好ましい。
【００３２】
＜電子機器１００の動作概要＞
（テキストが縦書き表示されている場合の動作概要）
次に、図１（Ａ）〜図１（Ｅ）を参照して、テキストが縦書き表示されている場合の、本実施の形態に係る電子機器１００の動作概要について説明する。ここでは、電子機器１００が、テキストを縦書きで表示する場合について説明する。
【００３３】
図１（Ａ）を参照して、電子機器１００は、第１の表示パネル１４０にテキストの３ページ目を縦書きで表示させる。より詳細には、電子機器１００は、ユーザからの操作を受け付けて、ユーザが所望するページを第１の表示パネル１４０に表示させる。電子機器１００は、第２の表示パネル２４０を介して、ユーザからのページ切り替え命令を受け付ける。
【００３４】
図１（Ｂ）を参照して、電子機器１００は、第２の表示パネル２４０を介して、ユーザから右方向のタッチ操作を受け付ける。すなわち、ユーザが、指９００あるいは図示しないスタイラスペンなどを第２の表示パネル２４０に接触させた状態で、指９００あるいはスタイラスペンを右方向にスライドさせる。より詳細には、電子機器１００は、第２の表示パネル２４０と指９００との接触位置を検知することによって、右方向のタッチ操作を受け付ける。
【００３５】
図１（Ｃ）を参照して、電子機器１００は、第１の表示パネル１４０にテキストの４ページ目を表示させる。すなわち、電子機器１００は、テキストを縦書きで表示している際には、右方向へのタッチ操作に応じて、表示しているテキストを先に（次に）進める。
【００３６】
図１（Ｄ）を参照して、電子機器１００は、第２の表示パネル２４０を介して、ユーザから左方向のタッチ操作を受け付ける。すなわち、ユーザが、指９００などを第２の表示パネル２４０に接触させた状態で、指９００を左方向にスライドさせる。より詳細には、電子機器１００は、第２の表示パネル２４０と指９００との接触位置を検知することによって、左方向のタッチ操作を受け付ける。
【００３７】
図１（Ｅ）を参照して、電子機器１００は、第１の表示パネル１４０にテキストの２ページ目を表示させる。すなわち、電子機器１００は、テキストを縦書きで表示している際には、左方向へのタッチ操作に応じて、表示しているテキストを前に戻す。
【００３８】
（テキストが横書き表示されている場合の動作概要）
次に、図２（Ａ）〜図２（Ｅ）を参照して、テキストが横書き表示されている場合の、本実施の形態に係る電子機器１００の動作概要について説明する。ここでは、電子機器１００が、テキストを横書きで表示する場合について説明する。
【００３９】
図２（Ａ）を参照して、電子機器１００は、第１の表示パネル１４０にテキストの３ページ目を横書きで表示させる。より詳細には、電子機器１００は、ユーザからの操作を受け付けて、ユーザが所望するページを第１の表示パネル１４０に表示させる。電子機器１００は、第２の表示パネル２４０を介して、ユーザからのページ切り替え命令を受け付ける。
【００４０】
図２（Ｂ）を参照して、電子機器１００は、第２の表示パネル２４０を介して、ユーザから右方向のタッチ操作を受け付ける。すなわち、ユーザが、指９００などを第２の表示パネル２４０に接触させた状態で、指９００を右方向にスライドさせる。より詳細には、電子機器１００は、第２の表示パネル２４０と指９００との接触位置を検知することによって、右方向のタッチ操作を受け付ける。
【００４１】
図２（Ｃ）を参照して、電子機器１００は、第１の表示パネル１４０にテキストの２ページ目を表示させる。すなわち、電子機器１００は、テキストを横書きで表示している際には、右方向へのタッチ操作に応じて、表示しているテキストのページを前に戻す。
【００４２】
図２（Ｄ）を参照して、電子機器１００は、第２の表示パネル２４０を介して、ユーザから左方向のタッチ操作を受け付ける。すなわち、ユーザが、指９００などを第２の表示パネル２４０に接触させた状態で、指９００を左方向にスライドさせる。より詳細には、電子機器１００は、第２の表示パネル２４０と指９００との接触位置を検知することによって、左方向のタッチ操作を受け付ける。
【００４３】
図２（Ｅ）を参照して、電子機器１００は、第１の表示パネル１４０にテキストの４ページ目を表示させる。すなわち、電子機器１００は、テキストを横書きで表示している際には、左方向へのタッチ操作に応じて、表示しているテキストのページを先に進める。
【００４４】
このように、本実施の形態に係る電子機器１００は、テキストが縦書きで表示されている場合と、テキストが横書きで表示されている場合とにおいて、入力操作に応じて電子機器１００が実行する処理が異なる。この構成は、通常、現実の縦書きの書籍は右から左へとページが進み、現実の横書きの書籍は左から右へとページが進むことに由来している。すなわち、電子機器１００は、仮想の書籍（テキスト）を実現するものであるため、現実の書籍におけるページの配置に基づいて、ユーザの操作と電子機器１００の処理とが関連付けられていることが好ましい。
【００４５】
本実施の形態に係る電子機器１００においては、そのユーザが、電子機器に対して行う操作と当該電子機器内で実行される処理とを連想し易い。以下、このような機能を実現するための構成について詳述する。
【００４６】
＜電子機器１００のハードウェア構成＞
次に、図３を参照して、電子機器１００の具体的構成の一態様について説明する。図３は、電子機器１００のハードウェア構成を表わすブロック図である。
【００４７】
電子機器１００は、第１ユニット１００１（メイン装置）と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００４８】
第１の筐体１００Ａは、表示装置１０２を含む。第２の筐体１００Ｂは、本体装置１０１を含む。また、第２の筐体１００Ｂは、第２ユニット１００２を含む。
【００４９】
（第１ユニットについて）
本体装置１０１は、ＣＰＵ（Central  Processing  Unit）１１０と、ＲＡＭ（Random  Access  Memory）１７１と、ＲＯＭ（Read-Only  Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢ（Universal  Serial  Bus）コネクタ１９４と、アンテナ１９５と、ＬＡＮ（Local  Area  Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【００５０】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable  Programmable  Read-Only  Memory）やフラッシュメモリなどのデータの書込みおよび消去が可能なＲＯＭである。
【００５１】
外部通信部１７４は、他の電子機器と通信を行う。具体的には、外部通信部１７４は、ＵＳＢコネクタ１９４を介して、たとえば第２ユニット１００２と通信を行う。また、外部通信部１７４は、アンテナ１９５を介して、たとえば第２ユニット１００２と無線通信を行う。さらに、外部通信部１７４は、ＬＡＮコネクタ１９６を介して、他の電子機器との間で有線通信を行う。
【００５２】
なお、本体装置１０１は、Ｂｌｕｅｔｏｏｔｈ（登録商標）以外の無線通信により、他の電子機器と通信を行ってもよい。たとえば、外部通信部１７４は、図示しない無線ＬＡＮアンテナを介して、ＬＡＮに接続された他の電子機器との間で無線通信を行ってもよい。あるいは、図示しない赤外線ポートを介して、他の電子機器との間で無線通信を行ってもよい。
【００５３】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【００５４】
電源検出部１９３は、電源回路１９２からの出力を検出する。また、電源検出部１９３は、当該検出した出力に関する情報（たとえば、電圧値や電流値）を、ＣＰＵ１１０に送る。
【００５５】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【００５６】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【００５７】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【００５８】
表示装置１０２は、ドライバ１３０と、光センサ内蔵液晶パネル１４０（以下、表示パネル１４０と称する）と、内部ＩＦ１７８と、バックライト１７９と、画像処理エンジン１８０とを含む。
【００５９】
ドライバ１３０は、表示パネル１４０およびバックライト１７９を駆動するための駆動回路である。ドライバ１３０に含まれる各種の駆動回路については、後述する。
【００６０】
表示パネル１４０は、液晶ディスプレイの機能と光センサの機能とを備えたデバイスである。つまり、表示パネル１４０は、液晶を用いた画像の表示と、光センサを用いたセンシングとを行うことができる。表示パネル１４０の詳細については、後述する。
【００６１】
内部ＩＦ（Interface）１７８は、本体装置１０１と表示装置１０２との間で、データの遣り取りを仲介する。
【００６２】
バックライト１７９は、表示パネル１４０の裏面に配置された光源である。バックライト１７９は、当該裏面に対して均一な光を照射する。
【００６３】
画像処理エンジン１８０は、ドライバ１３０を介して表示パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、表示パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００６４】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００６５】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００６６】
上記コマンドは、上記光センサによりセンシングを指示するセンシングコマンドを含む。当該センシングコマンドの詳細および上記応答データの詳細については、後述する（図８，図９，および図１５）。
【００６７】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００６８】
ここで、表示装置１０２は、システム液晶を含んでいる。なお、システム液晶とは、表示パネル１４０の周辺機器を当該表示パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、表示パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００６９】
（第２ユニットについて）
第２ユニット１００２は、第１ユニット１００１から電力の供給を受ける。具体的には、後述するＵＳＢコネクタ２９４と第１ユニット１００１のＵＳＢコネクタ２９４とを接続することにより、第２ユニット１００２は、第１ユニット１００１の電源回路１９２から電力の供給を受ける。
【００７０】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【００７１】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭ（Erasable  Programmable  Read-Only  Memory）やフラッシュメモリなどのデータの書込みおよび消去が可能なＲＯＭである。
【００７２】
外部通信部２７４は、他の電子機器との間で通信を行う。具体的には、外部通信部２７４は、ＵＳＢコネクタ２９４を介して、たとえば第１ユニット１００１と通信を行う。また、外部通信部２７４は、アンテナ２９５を介して、たとえば第１ユニット１００１と通信を行う。
【００７３】
なお、本体装置１０４は、Ｂｌｕｅｔｏｏｔｈ（登録商標）以外の無線通信により、他の電子機器（たとえば、第１ユニット１００１）と通信を行ってもよい。たとえば、外部通信部２７４は、図示しない赤外線ポートを介して、他の電子機器との間で無線通信を行ってもよい。
【００７４】
信号強度検出部２９７は、アンテナ２９５を介して受信した信号についての強度を検出する。そして、信号強度検出部２９７は、検出した強度を外部通信部２７４に送る。
【００７５】
ＵＳＢコネクタ１９４は、第２ユニット１００２を第１ユニット１００１に接続するために用いられる。
【００７６】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【００７７】
アンテナ２９５は、第２ユニット１００２と、たとえば第１ユニット１００１との間における、Ｂｌｕｅｔｏｏｔｈ（登録商標）の規格に沿った通信に用いられる。
【００７８】
電源検出部１９３は、ＵＳＢコネクタ２９４を介して給電された電力を検出する。また、電源検出部１９３は、当該検出した電力についての情報を、ＣＰＵ２１０に送る。
【００７９】
また、本体装置１０４は、赤外線通信を行う機能を備えていてもよい。
表示装置１０３は、ドライバ２３０と、光センサ内蔵液晶パネル２４０（以下、「表示パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００８０】
表示装置１０３は、表示装置１０２と同様な構成を有する。つまり、ドライバ２３０、表示パネル２４０、内部ＩＦ２７８、バックライト２７９、および画像処理エンジン２８０は、表示装置１０２における、ドライバ１３０、表示パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００８１】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００８２】
図３に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００８３】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）、フラッシュＲＯＭなどの半導体メモリ等の固定的にプログラムを格納する媒体でもよい。
【００８４】
ここでいうプログラムとは、ＣＰＵにより直接実行可能なプログラムだけでなく、ソースプログラム形式のプログラム、圧縮処理されたプログラム、暗号化されたプログラム等を含む。
【００８５】
＜光センサ内蔵液晶パネルの構成および駆動について＞
次に、表示パネル１４０の構成と、当該表示パネル１４０の周辺回路の構成とについて説明する。図４は、表示パネル１４０の構成と、当該表示パネル１４０の周辺回路とを示した図である。
【００８６】
図４を参照して、表示パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００８７】
また、図３に示した表示装置１０２のドライバ１３０は、表示パネル１４０の周辺回路として、走査信号線駆動回路１３１と、データ信号線駆動回路１３２と、光センサ駆動回路１３３と、スイッチ１３４と、アンプ１３５とを含む。
【００８８】
走査信号線駆動回路１３１は、図３に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin  Film  Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００８９】
データ信号線駆動回路１３２は、図３に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００９０】
なお、ここでは、いわゆる線順次方式と呼ばれる駆動方式を用いて説明したが、駆動方式はこれに限定されるものではない。
【００９１】
画素回路１４１は、１つの画素の輝度（透過率）を設定するための回路である。また、画素回路１４１は、マトリクス状にｍ×ｎ個配されている。より詳しくは、画素回路１４１は、図４の縦方向にｍ個、横方向にｎ個配されている。
【００９２】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００９３】
なお、ｎ型のトランジスタとｐ型のトランジスタとを作れるＣＭＯＳ（Complementary  Metal  Oxide  Semiconductor）を実現できること、キャリア（電子または正孔）の移動速度がアモルファスシリコン薄膜トランジスタ（a-Si  TFT）に比べて数百倍早いことなどから、表示装置１０２では、ＴＦＴ１４２として多結晶シリコン薄膜トランジスタ(p-Si  TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００９４】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００９５】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００９６】
光センサ駆動回路１３３は、図３に示すドライバ制御部１８１から制御信号ＴＣ２を受ける。
【００９７】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００９８】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００９９】
なお、電圧ＶＤＤＲを印加するタイミング、および電圧ＶＤＤを印加するタイミングについては、後述する。
【０１００】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【０１０１】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【０１０２】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【０１０３】
スイッチ１３４は、センサ信号線（ＳＤ１〜ＳＤｎ）に対して、予め定められた電圧を印加するか否かを切り替えるために設けられたスイッチである。スイッチ１３４の切り替え動作は、光センサ駆動回路１３３により行われる。なお、スイッチ１３４が導通状態となった場合にセンサ信号線（ＳＤ１〜ＳＤｎ）に印加される電圧については、後述する。
【０１０４】
アンプ１３５は、各センサ信号線（ＳＳ１〜ＳＳｎ）から出力された電圧を増幅する。なお、増幅された電圧は、図３に示した信号処理部１８３に送られる。
【０１０５】
なお、画素回路１４１を用いて画像を表示パネル１４０に表示させるタイミングと、光センサ回路１４４を用いてセンシングするタイミングとについては、画像処理エンジン１８０が制御する。
【０１０６】
図５は、表示パネル１４０とバックライト１７９との断面図である。図５を参照して、表示パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【０１０７】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図５には示していないが、アクティブマトリクス基板１５１Ａは、図４に示した、コンデンサ１４６と、ＴＦＴ１４７と、ＴＦＴ１４２と、走査信号線Ｇｉとを含む。
【０１０８】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【０１０９】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【０１１０】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【０１１１】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【０１１２】
表示パネル１４０は、外光やバックライト１７９などの光源により発せられた光を遮ったり又は当該光を透過させたりすることによって、画像の表示をする。具体的には、表示パネル１４０は、画素電極１４３ａと対向電極１４３ｂとの間に電圧を印加することにより液晶層１５２の液晶分子の向きを変化させ、上記光を遮ったり、あるいは透過させたりる。ただし、液晶だけでは光を完全に遮ることができないため、特定の偏光方向の光のみを透過させる偏光フィルタ１６１を配置している。
【０１１３】
なお、フォトダイオード１４５の位置は、上記の位置に限定されるものではなく、カラーフィルタ１５３ｒに対向する位置やカラーフィルタ１５３ｇに対向する位置に設けることも可能である。
【０１１４】
ここで、光センサ回路１４４の動作について説明する。図６は、光センサ回路１４４を動作させる際のタイミングチャートを示した図である。図６において、電圧ＶＩＮＴは、光センサ回路１４４内のノードＮにおける電位を示している。また、電圧ＶＰＩＸは、図４に示したセンサ信号線ＳＳｊからの出力電圧であって、アンプ１３５によって増幅される前の電圧を示している。
【０１１５】
以下では、光センサ回路１４４をリセットするためのリセット期間と、光センサ回路１４４を用いて光をセンシングするためのセンシング期間と、センシングした結果を読み出す読出期間とに分けて説明する。
【０１１６】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り替える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【０１１７】
ＶＩＮＴ＝ＶＳＳＲ＋｜ＶＤＤＲ−ＶＳＳＲ｜−Ｖｆ  …  （１）
それゆえ、ノードＮの電位は、図６に示すとおり、電圧ＶＤＤＲよりもＶｆだけ小さな値となる。
【０１１８】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【０１１９】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り替わる。一方、読出信号線ＲＷｉに印加する電圧は、ローレベル（電圧ＶＳＳＲ）のままとする。
【０１２０】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図６に示すとおり、ノードＮの電位（つまり、電圧ＶＩＮＴ）は時間の経過とともに低くなる。
【０１２１】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１２２】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り替わる。ここで、電圧ＶＤＤは、電圧ＶＤＤＲよりも高い値である。
【０１２３】
このように、読出信号線ＲＷｉにハイレベルの電圧を瞬間的に印加することにより、図６に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１２４】
この際、ＴＦＴ１４７のドレイン側に接続されたセンサ信号線ＳＤｊ（図４参照）に予め一定電圧を印加しておけば、ＴＦＴ１４７のソース側に接続されたセンサ信号線ＳＳｊからは、図６のＶＰＩＸのグラフに示すとおり、ノードＮの電位に応じた電圧が出力される。
【０１２５】
ここで、フォトダイオード１４５が受光する光の量（以下、受光量と称する）が少ないと、図６のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１２６】
ところで、上記においては、ｍ×ｎ個存在する光センサ回路のうち、１つの光センサ回路１４４に着目して、その動作を説明した。以下では、表示パネル１４０における各光センサ回路の動作について説明する。
【０１２７】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図４における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１２８】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１２９】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１３０】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１３１】
なお、表示装置１０２においては、上記のように行毎にセンシングが行われるとともに、行毎にセンシング結果が表示パネル１４０から出力される。このため、以下では、表示パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１３２】
また、上記においては、ｍ×ｎ個の光センサ回路全てを用いてスキャンを行う構成を例に挙げたが、これに限定されるものではない。予め選択された光センサ回路を用いて、表示パネル１４０の表面の一部の領域に関してスキャンを行うことも構成としてもよい。
【０１３３】
以下では、電子機器１００が、両構成のいずれの構成をも採れるものとする。さらに、当該構成間の切り替えは、操作キー１７７を介した入力などに基づく本体装置１０１から送られてくるコマンドにより行われるものとする。なお、表示パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１３４】
このように、表示パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１３５】
図７は、表示パネル１４０とバックライト１７９との断面図であって、スキャンの際にフォトダイオード１４５がバックライト１７９からの光を受光する構成を示した図である。
【０１３６】
図７を参照して、ユーザの指９００が表示パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１３７】
また、指９００が接触していない領域においても、バックライト１７９から発せられた光の一部は、ユーザの指９００にて反射される。この場合においても、フォトダイオード１４５は、当該反射された光を受光する。ただし、当該領域においては表示パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１３８】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、表示パネル１４０では、指９００の接触位置、指９００の接触している範囲（指９００の押圧力によって定まる）、表示パネル１４０の表面に対する指９００の方向などに応じて、センサ信号線（ＳＳ１からＳＳｎ）から出力される電圧が変化することになる。
【０１３９】
以上により、表示装置１０２は、指９００によって光が反射されることにより得られる像（以下、反射像とも称する）をスキャンすることができる。
【０１４０】
なお、指９００以外のスキャン対象物としては、スタイラスなどが挙げられる。
ところで、本実施の形態においては、電子機器１００の表示装置として表示パネルを例に挙げて説明しているが、表示パネルの代わりに有機ＥＬ（Electro-Luminescence）パネルなどの他のパネルを用いてもよい。
【０１４１】
＜データについて＞
次に、第１ユニット１００１と第２ユニット１００２との間でやり取りされるコマンドの一例、および第１ユニット１００１内の本体装置１０１と表示装置１０２との間でやり取りされるコマンドの一例について説明する。
【０１４２】
図８は、コマンドの概略構成を示した図である。図８を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１４３】
図９は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１４４】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１４５】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、表示パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１４６】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１４７】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１４８】
なお、上記座標値と上記部分画像または上記全体画像とを同時に要求する構成としてもよい。また、表示パネル２４０の表面の一部の領域に関してスキャンを行う構成の場合には、上記全体画像はスキャンが行われる領域に対応した画像となる。
【０１４９】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する（図１８）。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り替えて、スキャン対象物のスキャンを行うことを指す。
【０１５０】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０１５１】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０１５２】
また、上記第１コマンドには、図９に示したデータ以外に、スキャンを行う領域（光センサ回路１４４を駆動する画素の領域）の指定、スキャンを行うタイミング、バックライト１７９の点灯のタイミングなどが記述されている。
【０１５３】
なお、画像処理エンジン２８０は、第１コマンドの内容を解析し、当該解析の結果に従ったデータ（つまり、応答データ）を本体装置１０１に送り返す。
【０１５４】
図１０は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０１５５】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０１５６】
第１フィールドＤＡ０２に「００１」が設定された第２コマンドは、表示パネル２４０に画像を表示させることを画像処理エンジン２８０に対して要求する。また、第１フィールドＤＡ０２に「０１０」が設定された第２コマンドは、表示パネル２４０にアイコンを表示させることを画像処理エンジン２８０に対して要求する。さらに、第１フィールドＤＡ０２に「０１１」が設定された第２コマンドは、表示パネル２４０に手書領域を表示させることを画像処理エンジン２８０に対して要求する。
【０１５７】
第２フィールドＤＡ０３には、表示パネル２４０に表示させる画像の個数、および手書言語の種類を指定する番号が格納される。画像処理エンジン２８０は、当該画像の個数、または言語の種類に応じた処理を行う。
【０１５８】
第３フィールドＤＡ０４に「０１」が設定された第２コマンドは、表示パネル２４０における表示範囲を座標にて指定することを、画像処理エンジン２８０に対して要求する。また、第３フィールドＤＡ０４に「１０」が設定された第２コマンドは、表示パネル２４０における表示範囲を表示領域の全体にすることを、画像処理エンジン２８０に対して要求する。
【０１５９】
第４フィールドＤＡ０５には、表示パネル２４０に表示させる画像データと、当該画像データを表示する位置情報とが格納される。画像処理エンジン２８０は、当該位置情報で特定される位置に当該画像データを表示する処理を行う。
【０１６０】
図１１は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０１６１】
ＣＰＵ１１０，２１０は、ヘッダＤＡ０１に、コマンドの種別（「０１０」）、コマンドの送信先等を書き込む。ＣＰＵ１１０，２１０は、第１フィールドＤＡ０２に、番号が「１」のＯＳ（Operating  System）処理要求の値を書き込む。ＣＰＵ１１０，２１０は、第２フィールドＤＡ０３に、番号が「２」のＯＳ情報の値を書き込む。
【０１６２】
第１フィールドＤＡ０２に「０１」または「１０」が設定された第３コマンドは、第２ユニット１００２から第１ユニット１００１に送信される。
【０１６３】
第１フィールドＤＡ０２に「０１」が設定された第３コマンドは、第１ユニット１００１に対して、当該第１ユニット１００１のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０１６４】
第２フィールドＤＡ０３に「０００」、「００１」、または「０１０」が設定された第３コマンドは、第２ユニット１００２から第１ユニット１００１に送信される。
【０１６５】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０１６６】
図１２は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０１６７】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０１６８】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０１６９】
図１３は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０１７０】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０１７１】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０１７２】
図１４は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０１７３】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０１７４】
第１フィールドＤＡ０２に「００１」が設定された第６コマンドは、相手側の装置に対して赤外線通信を行うことを要求する。また、第１フィールドＤＡ０２に「０１０」が設定された第６コマンドは、相手側の装置に対してＢｌｕｅｔｏｏｔｈ（登録商標）による無線通信を行うことを要求する。さらに、第１フィールドＤＡ０２に「０１１」が設定された第６コマンドは、相手側の装置に対してＬＡＮ通信を行うことを要求する。
【０１７５】
第２フィールドＤＡ０３に「０００」が設定された第６コマンドは、通信の接続先を指定する情報を有していないことを示す。
【０１７６】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０１７７】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０１７８】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０１７９】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０１８０】
第３フィールドＤＡ０４に「０００」が設定された第６コマンドは、データ（たとえば、ファイル）の転送先を指定する情報を有していないことを示す。
【０１８１】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０１８２】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０１８３】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０１８４】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０１８５】
第４フィールドＤＡ０５に「００」、「０１」、「１０」、または「１１」が設定された第６コマンドは、第１ユニット１００１によって、第２ユニット１００２に送信される。
【０１８６】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０１８７】
図１５は、応答データの概略構成を示した図である。応答データは、第１コマンド（センシングコマンド）の内容に応じたデータである。
【０１８８】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０１８９】
図１５を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０１９０】
図１６は、指９００をスキャンすることにより得られた画像（つまり、スキャン画像）を示した図である。図１６を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１９１】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１９２】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１９３】
ただし、必ずしも中心座標の位置は上記に限定されるものではなく、中心座標を上記図心の座標あるいは図心の近傍の座標としてもよい。
【０１９４】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書き込みを行った後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０１９５】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書き込みを行った後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０１９６】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１９７】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０１９８】
また、第１コマンドのデータ種別を示すデータ領域に「１００」が設定されている場合には、画像処理エンジン２８０は、図１５に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書き込みを行った後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０１９９】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０２００】
＜構成の第１の変形例について＞
次に、図１７を参照して、前述のスキャンの方法（つまり、図７における反射像をスキャンする方法）とは異なるスキャンの方法について説明する。
【０２０１】
図１７は、スキャンの際にフォトダイオードが外光を受光する構成を示した断面図である。同図に示すとおり、外光の一部は、指９００によって遮られる。それゆえ、指９００と接触している表示パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０２０２】
ここで、バックライト１７９を、少なくともセンシング期間においては消灯させておくことにより、光センサ回路１４４は、表示パネル１４０の表面に対する指９００の位置に応じた電圧をセンサ信号線ＳＳｊから出力することができる。このように、バックライト１７９を点灯と消灯とを制御することにより、表示パネル１４０では、指９００の接触位置、指９００の接触している範囲（指９００の押圧力によって定まる）、表示パネル１４０の表面に対する指９００の方向などに応じて、センサ信号線（ＳＳ１からＳＳｎ）から出力される電圧が変化することになる。
【０２０３】
以上により、表示装置１０２は、指９００によって外光が遮られることにより得られる像（以下、影像とも称する）をスキャンすることができる。
【０２０４】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０２０５】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０２０６】
＜表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０２０７】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０２０８】
なお、表示装置１０２の表示パネル１４０のサイズと表示装置１０３の表示パネル２４０のサイズとは、同じであってもよいし又は異なっていてもよい。また、表示パネル１４０の解像度と表示パネル２４０の解像度とは、同じであってもよいし又は異なっていてもよい。
【０２０９】
＜構成の第２の変形例について＞
本実施の形態では、電子機器１００が、光センサを内蔵した第１の表示パネル１４０と光センサを内蔵した第２の表示パネル２４０とを備えているが、前述したように、第２の表示パネル２４０のみがタブレットや光センサを内蔵している構成であってもよい。
【０２１０】
図１８は、電子機器１３００のハードウェア構成を表すブロック図である。電子機器１３００は、電子機器１００と同様、第１の筐体１００Ａと、第２の筐体１００Ｂとを含む。また、図１８を参照して、電子機器１３００は、第１ユニット１００１Ａと、第２ユニット１００２とを含む。第１ユニット１００１Ａは、本体装置１０１と、表示装置１０２Ａとを含む。第２ユニット１００２は、本体装置１０４と、表示装置１０３とを含む。
【０２１１】
表示装置１０２Ａは、光センサを内蔵しない表示パネル（つまり、表示機能のみを有する表示パネル）である。電子機器１３００は、第１ユニット１００１Ａが光センサを内蔵しない表示パネルを含む点で、第１ユニット１００１が光センサを内蔵した表示パネル２４０を含む電子機器１００と異なる。このような電子機器１３００は、第２ユニット１００２の表示装置１０３を用いて上述したセンシングを行う。
【０２１２】
また、第１ユニット１００１は、光センサを内蔵した表示パネル１４０の代わりに、たとえば抵抗膜方式や静電容量方式のタッチパネルを備えてもよい。
【０２１３】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０２１４】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０２１５】
本実施の形態に係る電子機器１００は、上記のように構成されているため、第２ユニット１００２が、ＵＳＢコネクタ１９４，２９４を介して第１ユニット１００１に着脱自在になっている。
【０２１６】
そして、本実施の形態に係る電子機器１００は、たとえば電源投入時において、以下のような機能を発揮することができる。まず、ユーザが第１ユニット１００１の電源スイッチ１９１を押下すると、第１ユニット１００１は電源回路１９２からの電力を利用することによってＢＩＯＳ（Basic  Input/Output  System）を起動させる。
【０２１７】
第２ユニット１００２は、ＵＳＢコネクタ１９４，２９４を介して第１ユニット１００１から電力を取得する。第２ユニット１００２は、当該電力を利用することによって、第１ユニット１００１との間でデータを送受信することができる。このとき、第２ユニット１００２のＣＰＵ２１０は、ＵＳＢコネクタ１９４，２９４からの電力を使用することによって、表示パネル２４０にＯＳ（Operation  System）の種類を選択可能に表示させることができる。
【０２１８】
ユーザは、表示パネル２４０を介して、起動したいＯＳを選択する。ＣＰＵ２１０は、ユーザの選択に応じ、ＵＳＢコネクタ１９４，２９４を介して第１ユニット１００１へと、起動すべきＯＳを指定するコマンド（たとえば、図１１に示す「第１のＯＳ」コマンド）を送信する。第１ユニット１００１は、当該コマンドに応じて、ＯＳを起動する。
【０２１９】
また、たとえば、第２ユニット１００２は、アンテナ２９５を介して外部の携帯電話などとの間でデータの送受信を行う。第２ユニット１００２のＣＰＵ２１０は、アンテナ２９５を介して、外部の携帯電話から写真画像データや対応するサムネイルデータを取得して、当該写真画像データや対応するサムネイルデータをＲＡＭ２７１などに格納する。ＣＰＵ２１０は、ＲＡＭ２７１からサムネイルデータを読み出して、表示パネル２４０に写真のサムネイル画像を選択可能に表示させる。
【０２２０】
そして、外部からの選択命令に応じて、ＣＰＵ２１０は、表示パネル２４０に写真画像を表示させる。あるいは、ＣＰＵ２１０は、ＵＳＢコネクタ２９４を介して、写真画像を表示パネル１４０あるいは表示装置１０２Ａに表示させる。
【０２２１】
なお、上述したように、電子機器１００の第２の表示パネル２４０は、タブレット機能と表示機能とを有する通常のタッチパネルであってもよい。さらに、本実施の形態に係る電子機器１００の第２の表示パネル２４０は、タブレット機能のみを有する通常のタッチパネルであってもよい。
【０２２２】
＜本実施の形態に係る電子機器１００の機能構成＞
以下では、図１〜図３、図１９などを参照して、本実施の形態に係る電子機器１００の機能構成について説明する。なお、図１９は、本実施の形態に係る電子機器１００の機能構成を示すブロック図である。
【０２２３】
本実施の形態に係る電子機器１００は、受付部１１０１と、ページ制御部１１０２と、第１の表示制御部１１０３と、第２の表示制御部１１１０とを含む。また、電子機器１００は、図３にも示したように、ＲＡＭ１７１と、第１の表示パネル１４０（あるいは表示装置１０２Ａ）と、複数の光センサ回路２４４および複数の画素回路２４１とを含む第２の表示パネル２４０とを含む。
【０２２４】
まず、ＲＡＭ１７１は、テキストを表示するためのテキストデータ１７１Ａと、当該テキストの表示方向を示す方向データ１７１Ｂと、書籍のページがめくられる映像を示すための画像データなどを記憶する。より詳細には、ＲＡＭ１７１は、テキスト毎に、テキストデータ１７１Ａと方向データ１７１Ｂとを対応付けて記憶する。あるいは、テキストデータ１７１Ａが、当該テキストの表示方向を示す方向データ１７１Ｂを含む。ＣＰＵ１１０は、方向データ１７１Ｂに基づいて、第１の表示パネル１４０に、対応するテキストの表示対象エリアを縦書きあるいは横書きにて表示させる。
【０２２５】
第１の表示パネル１４０は、第１の表示制御部１１０３からの画像データやテキストデータ１７１Ａに基づいて、すなわちＣＰＵ１１０からの出力信号に基づいて外部に可視光を発する。より詳細には、第１の表示パネル１４０は、画像処理エンジン１８０（図３）などを介して、第１の表示制御部１１０３からの画像データやテキストデータに基づいて、バックライト１７９からの光を利用しながらテキストやテキストなどを表示する。
【０２２６】
第２の表示パネル２４０の複数の光センサ回路２４４のそれぞれは、入射光を受光して、入射光に応じた電気信号を生成する。複数の光センサ回路２４４は全体として、画像処理エンジン２８０（図３）などを介して、入射光に対応する電気信号を受付部１１０１に入力する。なお、複数の光センサ回路２４４は、図１７に示すようにバックライト１７９を消灯させた状態で、指９００やスタイラスペンなどの接触位置を読み取ってもよい。
【０２２７】
このように、本実施の形態に係る複数の光センサ回路２４４および画像処理エンジン２８０は全体として操作部を実現する。そして、操作部は、第２の表示パネル２４０を介して、第１の表示パネル１４０に表示されているテキストの表示を制御するための操作命令を受け付けたり、第１の表示パネル１４０に表示されているポインタを移動させる移動命令を受け付けたりする。
【０２２８】
第２の表示パネル２４０の複数の画素回路２４１のそれぞれは、第２の表示制御部１１１０からの画像データやテキストデータに基づいて、すなわちＣＰＵ１１０からの出力信号に基づいて外部に可視光を発する。より詳細には、複数の画素回路２４１は全体として、画像処理エンジン２８０（図３）などを介して、第２の表示制御部１１１０からの画像データやテキストデータに基づいて、バックライト１７９からの光を利用しながらテキストやテキストなどを表示する。
【０２２９】
このように、本実施の形態に係る複数の画素回路２４１および画像処理エンジン２８０は全体として表示部を実現する。すなわち、表示部は、第２の表示パネル２４０に操作画像やその他の画像やテキストなどを表示させる。
【０２３０】
受付部１１０１と、ページ制御部１１０２と、第１の表示制御部１１０３と、第２の表示制御部１１１０とは、ＣＰＵ１１０などによって実現される機能である。より詳細には、ＣＰＵ１１０が有する各機能は、ＣＰＵ１１０がＲＡＭ１７１などに記憶される制御プログラムを実行して、図３に示される各ハードウェアを制御することによって実現される機能である。
【０２３１】
あるいは、第２の表示制御部１１１０、受付部１１０１、ページ制御部１１０２のいずれかが、ＣＰＵ２１０などによって実現されてもよい。より詳細には、ＣＰＵ２１０がＲＡＭ２７１などに記憶される制御プログラムを実行して、図３に示される各ハードウェアを制御することによって、第２の表示制御部１１１０、受付部１１０１、ページ制御部１１０２のいずれかを実現してもよい。
【０２３２】
まず、第１の表示制御部１１０３は、ＲＡＭ１７１からテキストデータ１７１Ａと方向データ１７１Ｂとを読み出して、第１の表示パネル１４０に縦書きあるいは横書きでテキストを表示させる。たとえば、図１（Ａ）および図２（Ａ）に示すように、第１の表示制御部１１０３は、第１の表示パネル１４０にテキストの３ページ目を表示させる。
【０２３３】
受付部１１０１は、複数の光センサ回路２４４から画像処理エンジン２８０を介して入力される電気信号に基づいて、第２の表示パネル２４０に入力された操作命令や移動命令などを受け付ける。より詳細には、受付部１１０１は、センシング時間毎に第２の表示パネル２４０の画像処理エンジン２８０から出力される画像データを取得して、当該画像データに基づいて操作命令や移動命令などを生成する。
【０２３４】
そして、受付部１１０１は、画像処理エンジン２８０から出力された画像データをＲＡＭ２７１に記憶してもよい。すなわち、受付部１１０１は、ＲＡＭ２７１の画像データを常時最新の画像データに更新してもよい。なお、受付部１１０１は、ＣＰＵ２１０と第２の表示パネル２４０の複数の光センサ回路２４４とによって実現される機能であってもよい。すなわち、受付部１１０１は、ＣＰＵ２１０の一部の機能と第２の表示パネル２４０の受光機能とを含む機能ブロックを示す概念であってもよい。
【０２３５】
すなわち、受付部１１０１は、第２の表示パネル２４０からの電気信号に基づいて、第２の表示パネル２４０に対するタッチ操作を検出する。そして、受付部１１０１は、タッチ操作に応じて、ユーザからの操作命令を認識する。
【０２３６】
より詳細には、受付部１１０１は、第２の表示パネル２４０を介して検出される指９００と第２の表示パネル２４０との接触位置の移動方向を判断する方向判断部１１０４を含む。方向判断部１１０４は、接触位置が右方向へ移動したか否かを判断する。また、方向判断部１１０４は、接触位置が左方向へ移動したか否かを判断する。
【０２３７】
受付部１１０１は、方向判断部１１０４からの判断結果に基づいて、ユーザからの操作命令を判断する命令判断部１１０５を含む。命令判断部１１０５は、図１（Ｂ）および図２（Ｂ）に示すように、接触位置が右方向へ移動したと判断した場合に、第１の操作命令を受け付けたと判断する。命令判断部１１０５は、第１の操作命令を取得した際に、当該第１の操作命令をページ制御部１１０２および第２の表示制御部１１１０に受け渡す。
【０２３８】
一方、命令判断部１１０５は、図１（Ｄ）および図２（Ｄ）に示すように、接触位置が左方向へ移動したと判断した場合に、第２の操作命令を受け付けたと判断する。命令判断部１１０５は、第２の操作命令を受け付けた際に、当該第２の操作命令をページ制御部１１０２および第２の表示制御部１１１０に受け渡す。
【０２３９】
ページ制御部１１０２は、第１の表示制御部１１０３が表示すべきテキストの表示対象エリアを指定する。すなわち、ページ制御部１１０２は、テキストが縦書きで表示されている場合、第１の操作命令を受け付けて、第１の表示制御部１１０３が表示すべき表示対象エリア（表示対象ページ）を先に進める。たとえば、ページ制御部１１０２は、第１の操作命令を受け付けて、第１の表示制御部１１０３が表示すべきページや行などを示す情報を第１の表示制御部１１０３に受け渡す。あるいは、ページ制御部１１０２は、第１の表示制御部１１０３に現在表示中のページの次のページを表示する旨の第１の指令を与えてもよい。
【０２４０】
ページ制御部１１０２は、テキストが縦書きで表示されている場合、第２の操作命令を受け付けて、第１の表示制御部１１０３が表示すべき表示対象エリア（表示対象ページ）を前に戻す。たとえば、ページ制御部１１０２は、第２の操作命令を受け付けて、第１の表示制御部１１０３が表示すべきページや行などを示す情報を第１の表示制御部１１０３に受け渡す。あるいは、ページ制御部１１０２は、第１の表示制御部１１０３に現在表示中のページの前のページを表示する旨の第２の指令を与えてもよい。
【０２４１】
一方、ページ制御部１１０２は、テキストが横書きで表示されている場合、第１の操作命令を受け付けて、第１の表示制御部１１０３が表示すべき表示対象エリア（表示対象ページ）を前に戻す。たとえば、ページ制御部１１０２は、第１の操作命令を受け付けて、第１の表示制御部１１０３が表示すべきページや行などを示す情報を第１の表示制御部１１０３に受け渡す。あるいは、ページ制御部１１０２は、第１の表示制御部１１０３に現在表示中のページの前のページを表示する旨の第２の指令を与えてもよい。
【０２４２】
ページ制御部１１０２は、テキストが横書きで表示されている場合、第２の操作命令を受け付けて、第１の表示制御部１１０３が表示すべき表示対象エリア（表示対象ページ）を先に進める。たとえば、ページ制御部１１０２は、第２の操作命令を受け付けて、第１の表示制御部１１０３が表示すべきページや行などを示す情報を第１の表示制御部１１０３に受け渡す。あるいは、ページ制御部１１０２は、第１の表示制御部１１０３に現在表示中のページの次のページを表示する旨の第１の指令を与えてもよい。
【０２４３】
第１の表示制御部１１０３は、ページ制御部１１０２からの表示対象エリア（表示対象ページ）の指定を受け付けて、テキストデータ１７１Ａに基づいて、第１の表示パネル１４０を介してテキストの一部を表示する。たとえば、第１の表示制御部１１０３は、ページ制御部１１０２から第１の指令を受け付けて、図１（Ｃ）および図２（Ｅ）に示すように、テキストの４ページ目を表示する。第１の表示制御部１１０３は、ページ制御部１１０２からの第２の指令を受け付けて、図１（Ｅ）および図２（Ｃ）に示すように、テキストの２ページ目を表示する。
【０２４４】
第２の表示制御部１１１０は、受付部１１０１からの第１の操作命令を受け付けて、第２の表示パネル２４０を介してページを送る動画像を表示させる。第２の表示制御部１１１０は、受付部１１０１からの第２の操作命令を受け付けて、第２の表示パネル２４０を介してページを戻す動画像を表示させる。
【０２４５】
図２０は、第２の表示パネル２４０が表示する画像を示すイメージ図である。図２０を参照して、第２の表示制御部１１１０は、第１の操作命令に応じて、第２の表示パネル２４０に（Ａ）から（Ｊ）の画像を順次表示させる。第２の表示制御部１１１０は、第２の操作命令に応じて、第２の表示パネル２４０に（Ｊ）から（Ａ）の画像を順次表示させる。
【０２４６】
より詳細には、ＲＡＭ１７１が（Ａ）〜（Ｊ）の画像を示す画像データを格納する。第２の表示制御部１１１０は、テキストが縦書き表示されている場合、第１の操作命令を受け付けたときに、第２の表示パネル２４０の左半分に（Ｊ）の画像を表示させながら、第２の表示パネル２４０の右半分に（Ａ）から（Ｅ）の画像を順次表示させる。その後、第２の表示制御部１１１０は、第２の表示パネル２４０の右半分に（Ａ）の画像を表示させながら、第２の表示パネル２４０の左半分に（Ｆ）から（Ｊ）の画像を順次表示させる。
【０２４７】
第２の表示制御部１１１０は、テキストが縦書き表示されている場合、第２の操作命令を受け付けたときに、第２の表示パネル２４０の右半分に（Ａ）の画像を表示させながら、第２の表示パネル２４０の左半分に（Ｊ）から（Ｆ）の画像を順次表示させる。その後、第２の表示制御部１１１０は、第２の表示パネル２４０の左半分に（Ｊ）の画像を表示させながら、第２の表示パネル２４０の右半分に（Ｅ）から（Ａ）の画像を順次表示させる。
【０２４８】
一方、第２の表示制御部１１１０は、テキストが横書き表示されている場合、第１の操作命令を受け付けたときに、第２の表示パネル２４０の右半分に（Ａ）の画像を表示させながら、第２の表示パネル２４０の左半分に（Ｊ）から（Ｆ）の画像を順次表示させる。その後、第２の表示制御部１１１０は、第２の表示パネル２４０の左半分に（Ｊ）の画像を表示させながら、第２の表示パネル２４０の右半分に（Ｅ）から（Ａ）の画像を順次表示させる。
【０２４９】
第２の表示制御部１１１０は、テキストが横書き表示されている場合、第２の操作命令を受け付けたときに、第２の表示パネル２４０の左半分に（Ｊ）の画像を表示させながら、第２の表示パネル２４０の右半分に（Ａ）から（Ｅ）の画像を順次表示させる。その後、第２の表示制御部１１１０は、第２の表示パネル２４０の右半分に（Ａ）の画像を表示させながら、第２の表示パネル２４０の左半分に（Ｆ）から（Ｊ）の画像を順次表示させる。
【０２５０】
なお、本実施の形態においては、受付部１１０１とページ制御部１１０２と第１の表示制御部１１０３と第２の表示制御部１１１０とを異なる機能ブロックとして説明した。しかしながら、それらの２つ以上を１つの機能ブロックにまとめてもよいし、それらの１つを２つ以上の機能ブロックに分割してもよい。
【０２５１】
たとえば、受付部１１０１と第２の表示制御部１１１０とがＣＰＵ２１０が実現する１つのモジュールとして構成され、ページ制御部１１０２と第１の表示制御部１１０３とがＣＰＵ１１０が実現する１つのモジュールとして構成されてもよい。この場合には、ＣＰＵ２１０からＣＰＵ１１０へと、第１および第２の操作命令（実施の形態２から４においては、後述する第１〜第４の操作命令）が受け渡される。
【０２５２】
＜テキスト表示処理＞
次に、図１〜図３、図１９、図２１を参照して、本実施の形態に係る電子機器１００におけるテキスト表示処理について説明する。なお、図２１は、本実施の形態に係る電子機器１００におけるテキスト表示処理の処理手順を示すフローチャートである。
【０２５３】
まず、受付部１１０１として機能するＣＰＵ１１０（あるいはＣＰＵ２１０）は、第２の表示パネル２４０を介して、テキストの表示命令を受け付けたか否かを判断する（ステップＳ１０２）。第１の表示制御部１１０３として機能するＣＰＵ１１０は、表示命令を受け付けると（ステップＳ１０２にてＹＥＳである場合）、ユーザが閲覧したいテキストに対応するテキストデータ１７１Ａと方向データ１７１Ｂとを読み出して、当該テキストを縦書きで表示すべきか否かを判断する（ステップＳ１０４）。
【０２５４】
テキストを縦書き表示すべき場合（ステップＳ１０４にてＹＥＳである場合）、ＣＰＵ１１０は、テキストデータ１７１Ａに基づいて、図１（Ａ）に示すように、第１の表示パネル１４０にテキストを縦書きで表示させる（ステップＳ１０６）。ＣＰＵ１１０は、第２の表示パネル２４０を介して、第１あるいは第２の操作命令（これらを総称して「タッチ操作」ともいう。）を受け付けたか否かを判断する（ステップＳ１０８）。
【０２５５】
受付部１１０１とページ制御部１１０２と第１の表示制御部１１０３として機能するＣＰＵ１１０は、タッチ操作を受け付けた場合（ステップＳ１０８にてＹＥＳである場合）、縦処理（ステップＳ２００）を実行する。縦処理（ステップＳ２００）については後述する。
【０２５６】
受付部１１０１として機能するＣＰＵ１１０は、縦書き処理（ステップＳ２００）を終了後、第２の表示パネル２４０を介してテキストの表示終了命令を受け付けたか否かを判断する（ステップＳ１１０）。ＣＰＵ１１０は、タッチ操作を受け付けない場合（ステップＳ１０８にてＮＯである場合）、ステップＳ１０８からの処理を繰り返す。ＣＰＵ１１０は、テキストの表示終了命令を受け付けた場合（ステップＳ１１０にてＹＥＳである場合）、テキスト表示処理を終了する。
【０２５７】
一方、テキストを横書き表示すべき場合（ステップＳ１０４にてＮＯである場合）、ＣＰＵ１１０は、テキストデータ１７１Ａに基づいて、図２（Ａ）に示すように、第１の表示パネル１４０にテキストを横書きで表示させる（ステップＳ１１２）。ＣＰＵ１１０は、第２の表示パネル２４０を介して、タッチ操作を受け付けたか否かを判断する（ステップＳ１１４）。
【０２５８】
受付部１１０１とページ制御部１１０２と第１の表示制御部１１０３として機能するＣＰＵ１１０は、タッチ操作を受け付けた場合（ステップＳ１１４にてＹＥＳである場合）、横処理（ステップＳ３００）を実行する。横処理（ステップＳ３００）については後述する。
【０２５９】
受付部１１０１として機能するＣＰＵ１１０は、横書き処理（ステップＳ３００）を終了後、第２の表示パネル２４０を介してテキストの表示終了命令を受け付けたか否かを判断する（ステップＳ１１６）。ＣＰＵ１１０は、タッチ操作を受け付けない場合（ステップＳ１１６にてＮＯである場合）、ステップＳ１１４からの処理を実行する。ＣＰＵ１１０は、テキストの表示終了命令を受け付けた場合（ステップＳ１１６にてＹＥＳである場合）、テキスト表示処理を終了する。
【０２６０】
＜縦処理＞
次に、図１〜図３、図１９、図２２を参照して、本実施の形態に係る電子機器１００における縦処理について説明する。なお、図２２は、本実施の形態に係る電子機器１００における縦処理（ステップＳ２００）の処理手順を示すフローチャートである。
【０２６１】
まず、受付部１１０１として機能するＣＰＵ１１０（ＣＰＵ２１０）は、第２の表示パネル２４０を介して、右方向へのタッチ操作を受け付けたか否かを判断する（ステップＳ２０２）。すなわち、ＣＰＵ１１０は、第２の表示パネル２４０の接触箇所が右方向に移動したか否かを判断する。図１（Ｂ）に示すように、ページ制御部１１０２として機能するＣＰＵ１１０は、右方向へのタッチ操作を受け付けた場合（ステップＳ２０２にてＹＥＳである場合）、現在表示されているページの次のページを指定する。図１（Ｃ）に示すように、第１の表示制御部１１０３として機能するＣＰＵ１１０は、第１の表示パネル１４０を介して、テキストの次のページを表示する（ステップＳ２０４）。
【０２６２】
受付部１１０１として機能するＣＰＵ１１０は、右方向へのタッチ操作を受け付けない場合（ステップＳ２０２にてＮＯである場合）、第２の表示パネル２４０を介して、左方向へのタッチ操作を受け付けたか否かを判断する（ステップＳ２０６）。すなわち、ＣＰＵ１１０は、第２の表示パネル２４０の接触箇所が左方向に移動したか否かを判断する。図１（Ｄ）に示すように、ページ制御部１１０２として機能するＣＰＵ１１０は、左方向へのタッチ操作を受け付けた場合（ステップＳ２０６にてＹＥＳである場合）、現在表示されているページの前のページを指定する。図１（Ｅ）に示すように、第１の表示制御部１１０３として機能するＣＰＵ１１０は、第１の表示パネル１４０を介して、テキストの前のページを表示する（ステップＳ２０８）。
【０２６３】
ＣＰＵ１１０は、縦処理（ステップＳ２００）を終了して、図２１に示す表示処理へと制御を戻す。
【０２６４】
＜横処理＞
次に、図１〜図３、図１９、図２３を参照して、本実施の形態に係る電子機器１００における横処理について説明する。なお、図２３は、本実施の形態に係る電子機器１００における横処理（ステップＳ３００）の処理手順を示すフローチャートである。
【０２６５】
まず、受付部１１０１として機能するＣＰＵ１１０は、第２の表示パネル２４０を介して、右方向へのタッチ操作を受け付けたか否かを判断する（ステップＳ３０２）。すなわち、ＣＰＵ１１０は、第２の表示パネル２４０の接触箇所が右方向に移動したか否かを判断する。図２（Ｂ）に示すように、ページ制御部１１０２として機能するＣＰＵ１１０は、右方向へのタッチ操作を受け付けた場合（ステップＳ３０２にてＹＥＳである場合）、現在表示されているページの前のページを指定する。図２（Ｃ）に示すように、第１の表示制御部１１０３として機能するＣＰＵ１１０は、第１の表示パネル１４０を介して、テキストの前のページを表示する（ステップＳ２０４）。
【０２６６】
受付部１１０１として機能するＣＰＵ１１０は、右方向へのタッチ操作を受け付けない場合（ステップＳ３０２にてＮＯである場合）、第２の表示パネル２４０を介して、左方向へのタッチ操作を受け付けたか否かを判断する（ステップＳ３０６）。すなわち、ＣＰＵ１１０は、第２の表示パネル２４０の接触箇所が左方向に移動したか否かを判断する。図２（Ｄ）に示すように、ページ制御部１１０２として機能するＣＰＵ１１０は、左方向へのタッチ操作を受け付けた場合（ステップＳ３０６にてＹＥＳである場合）、現在表示されているページの次のページを指定する。図２（Ｅ）に示すように、第１の表示制御部１１０３として機能するＣＰＵ１１０は、第１の表示パネル１４０を介して、テキストの次のページを表示する（ステップＳ３０８）。
【０２６７】
ＣＰＵ１１０は、横処理（ステップＳ３００）を終了して、図２１に示す表示処理へと制御を戻す。
【０２６８】
［実施の形態２］
次に、本発明の実施の形態２について説明する。上述の実施の形態１に係る電子機器１００は、テキストの表示方向に応じて、ページの切り替え処理が異なるものであった。一方、本実施の形態に係る電子機器１００Ｘは、テキストの表示方向と、タッチ操作のストロークの長さとに応じて、ページの切り替え処理が異なるものである。より詳細には、本実施の形態に係る電子機器１００Ｘは、テキストの表示方向に応じてページの移動方向を変更し、タッチ操作の長さに応じてページの移動量を変更する。
【０２６９】
さらに、本実施の形態に係る電子機器１００Ｘは、表示しているテキストの一部のエリア（第１のエリア）内の文字を、その他のエリア（第２のエリア）の文字とは異なるスタイルにて表示させる。以下では、表示しているテキストの一部のエリア内の文字を、その他のエリアの文字よりも大きいサイズにて表示させる電子機器１００Ｘについて説明を行う。しかしながら、電子機器１００Ｘは、表示しているテキストの一部のエリア内の文字を、その他のエリアの文字とは異なる文字色、領域色（背景色）、フォント、文字属性にて表示させてもよい。
【０２７０】
＜電子機器１００Ｘの動作概要＞
まず、本実施の形態に係る電子機器１００Ｘの動作概要について説明する。図２４は、本実施の形態に係る電子機器１００Ｘの外観を示すイメージ図である。より詳細には、図２４（Ａ）は第１の表示パネル１４０（あるいは表示装置１０２Ａ）がテキストの３ページ目を縦書きで表示した状態の電子機器１００Ｘのイメージ図である。図２４（Ｂ）は第２の表示パネル２４０（タッチパネル）に右方向の長いタッチ操作が入力されたときの電子機器１００Ｘのイメージ図である。図２４（Ｃ）はテキストを１ページ進めた状態の電子機器１００Ｘのイメージ図である。図２４（Ｄ）は第２の表示パネル２４０（タッチパネル）に右方向の短いタッチ操作が入力されたときの電子機器１００Ｘのイメージ図である。図２４（Ｅ）はテキストを数行進めた状態の電子機器１００Ｘのイメージ図である。
【０２７１】
ここでは、図２４（Ａ）〜図２４（Ｅ）を参照して、電子機器１００Ｘが、テキストを縦書きで表示する場合について説明する。
【０２７２】
図２４（Ａ）を参照して、電子機器１００Ｘは、第１の表示パネル１４０にテキストの３ページ目を縦書きで表示させる。より詳細には、電子機器１００Ｘは、ユーザからの操作を受け付けて、ユーザが所望するページを第１の表示パネル１４０に表示させる。このとき、第１の表示パネル１４０の中心エリア、すなわちテキストの３ページ目の４行目と５行目の文字のフォントが拡大して表示される。電子機器１００Ｘは、第２の表示パネル２４０を介して、ユーザからのページ切り替え命令を受け付ける。
【０２７３】
図２４（Ｂ）を参照して、電子機器１００Ｘは、第２の表示パネル２４０を介して、ユーザから右方向の長いタッチ操作（ロングストローク）を受け付ける。すなわち、ユーザが、指９００などを第２の表示パネル２４０に接触させた状態で、指９００を右方向に長い距離スライドさせる。より詳細には、電子機器１００Ｘは、第２の表示パネル２４０と指９００との接触位置を検知することによって、右方向の長いタッチ操作を受け付ける。
【０２７４】
図２４（Ｃ）を参照して、電子機器１００Ｘは、第１の表示パネル１４０にテキストの４ページ目を表示させる。すなわち、電子機器１００Ｘは、テキストを縦書きで表示している際には、右方向への長いタッチ操作に応じて、表示しているテキストを１ページ先に進める。このとき、第１の表示パネル１４０の中心エリア、すなわちテキストの４ページ目の４行目と５行目の文字のフォントが拡大して表示される。
【０２７５】
図２４（Ｄ）を参照して、電子機器１００Ｘは、第２の表示パネル２４０を介して、ユーザから右方向の短いタッチ操作（ショートストローク）を受け付ける。すなわち、ユーザが、指９００などを第２の表示パネル２４０に接触させた状態で、指９００を右方向に短い距離スライドさせる。より詳細には、電子機器１００Ｘは、第２の表示パネル２４０と指９００との接触位置を検知することによって、右方向の短いタッチ操作を受け付ける。
【０２７６】
図２４（Ｅ）を参照して、電子機器１００Ｘは、第１の表示パネル１４０にテキストの３ページ目の第３行からのテキストを表示させる。すなわち、電子機器１００Ｘは、テキストを縦書きで表示している際には、右方向への短いタッチ操作に応じて、表示しているテキストを数行先に進める。換言すれば、本実施の形態に係る電子機器１００Ｘは、テキストを大きなフォントで表示するエリアを、数行進める。このとき、第１の表示パネル１４０の中心エリア、すなわちテキストの３ページ目の６行目と７行目の文字のフォントが拡大して表示される。
【０２７７】
なお、電子機器１００Ｘが左方向のタッチ操作を受け付けた場合については、実施の形態１の図１と同様に、電子機器１００Ｘは右方向のタッチ操作を受け付けた場合の逆の処理を行う。そのため、電子機器１００Ｘが左方向のタッチ操作を受け付けた場合の動作概要の説明はここでは繰り返さない。
【０２７８】
また、電子機器１００Ｘがテキストを横書きで表示する場合については、実施の形態１の図１および図２と同様に、電子機器１００Ｘがテキストを縦書きで表示する場合の逆の処理を行う。そのため、電子機器１００Ｘがテキストを横書きで表示する場合の動作概要の説明はここでは繰り返さない。
【０２７９】
すなわち、本実施の形態に係る電子機器１００Ｘも、テキストが縦書きで表示されている場合と、テキストが横書きで表示されている場合とにおいて、入力操作に応じて電子機器１００Ｘが実行する処理が異なる。そして、本実施の形態に係る電子機器１００Ｘは、タッチ操作のストロークの長さに応じて、ページを進める（戻す）量を変更する。以下、このような機能を実現するための構成について詳述する。
【０２８０】
なお、本実施の形態に係るテキスト表示装置の一例である電子機器１００Ｘの全体構成、ハードウェア構成などは、実施の形態１に係る電子機器１００のそれと同様であるため、ここでは説明を繰り返さない。
【０２８１】
＜本実施の形態に係る電子機器１００Ｘの機能構成＞
以下では、図３、図２４、図２５などを参照して、本実施の形態に係る電子機器１００Ｘの機能構成について説明する。図２５は、本実施の形態に係る電子機器１００Ｘの機能構成を示すブロック図である。なお、以下では、実施の形態１に係る電子機器１００と同様の機能を有するブロックについては説明を繰り返さない。
【０２８２】
本実施の形態に係る電子機器１００Ｘは、受付部１１０１Ｂと、ページ制御部１１０２Ｂと、第１の表示制御部１１０３Ｂと、第２の表示制御部１１１０とを含む。また、電子機器１００Ｘは、図３にも示したように、ＲＡＭ１７１と、第１の表示パネル１４０（あるいは表示装置１０２Ａ）と、複数の光センサ回路２４４および複数の画素回路２４１とを含む第２の表示パネル２４０とを含む。
【０２８３】
受付部１１０１Ｂと、ページ制御部１１０２Ｂと、第１の表示制御部１１０３Ｂと、第２の表示制御部１１１０とは、ＣＰＵ１１０などによって実現される機能である。より詳細には、ＣＰＵ１１０が有する各機能は、ＣＰＵ１１０がＲＡＭ１７１などに記憶される制御プログラムを実行して、図３に示される各ハードウェアを制御することによって実現される機能である。
【０２８４】
あるいは、第２の表示制御部１１１０、受付部１１０１Ｂ、ページ制御部１１０２Ｂのいずれかが、ＣＰＵ２１０などによって実現されてもよい。より詳細には、ＣＰＵ２１０がＲＡＭ２７１などに記憶される制御プログラムを実行して、図３に示される各ハードウェアを制御することによって、第２の表示制御部１１１０、受付部１１０１Ｂ、ページ制御部１１０２Ｂ、第１の表示制御部１１０３Ｂのいずれかを実現してもよい。
【０２８５】
まず、第１の表示制御部１１０３Ｂは、ＲＡＭ１７１からテキストデータ１７１Ａと方向データ１７１Ｂとを読み出して、第１の表示パネル１４０に縦書きあるいは横書きでテキスト（表示対象エリア）を表示させる。たとえば、図２４（Ａ）に示すように、第１の表示制御部１１０３Ｂは、第１の表示パネル１４０にテキストの３ページ目を表示させる。このとき、第１の表示制御部１１０３Ｂは、第１の表示パネル１４０の中心エリア、すなわちテキストの３ページ目の４行目と５行目の文字のフォントを拡大して表示する。
【０２８６】
受付部１１０１Ｂは、操作キー１７７からの電気信号、あるいは複数の光センサ回路２４４から画像処理エンジン２８０を介して入力される電気信号に基づいて、第２の表示パネル２４０に入力された操作命令や移動命令などを受け付ける。より詳細には、受付部１１０１Ｂは、センシング時間毎に第２の表示パネル２４０の画像処理エンジン２８０から出力される画像データを取得して、当該画像データに基づいて操作命令や移動命令などを生成する。
【０２８７】
より詳細には、受付部１１０１Ｂは、第２の表示パネル２４０を介して検出される指９００と第２の表示パネル２４０との接触位置の移動方向を判断する方向判断部１１０４を含む。方向判断部１１０４は、接触位置が右方向へ移動したか否かを判断する。また、方向判断部１１０４は、接触位置が左方向へ移動したか否かを判断する。
【０２８８】
受付部１１０１Ｂは、接触位置の移動距離が所定の値以上であるか否かを判断する距離判断部１１０６を含む。より詳細には、距離判断部１１０６は、第２の表示パネル２４０から順次受け付ける画像データに基づいて、接触位置の移動距離を計算する。
【０２８９】
距離判断部１１０６は、接触位置が検出されたときから所定時間が経過したときまでの移動距離を計算する。あるいは、距離判断部１１０６は、接触位置が検出された位置から接触位置が最後に検出された位置までの距離を移動距離として算出する。距離判断部１１０６は、当該移動距離が所定の値以上であるか否かを判断する。あるいは、距離判断部１１０６は、当該移動距離が所定の値未満であるか否かを判断する。
【０２９０】
受付部１１０１Ｂは、方向判断部１１０４からの判断結果と距離判断部１１０６からの判断結果とに基づいて、ユーザからの操作命令を判断する命令判断部１１０５Ｂを含む。命令判断部１１０５Ｂは、図２４（Ｂ）に示すように、接触位置が右方向へ移動したと判断した場合、かつ移動距離が所定の値以上であると判断した場合に、第１の操作命令を受け付けたと判断する。命令判断部１１０５Ｂは、図２４（Ｄ）に示すように、接触位置が右方向へ移動したと判断した場合、かつ移動距離が所定の値未満であると判断した場合に、第３の操作命令を受け付けたと判断する。
【０２９１】
一方、命令判断部１１０５Ｂは、接触位置が左方向へ移動したと判断した場合、かつ移動距離が所定の値以上であると判断した場合に、第２の操作命令を受け付けたと判断する。命令判断部１１０５Ｂは、接触位置が左方向へ移動したと判断した場合、かつ移動距離が所定の値未満であると判断した場合に、第４の操作命令を受け付けたと判断する。
【０２９２】
ページ制御部１１０２Ｂは、第１の表示制御部１１０３Ｂが表示すべきテキストの箇所を指定する。すなわち、ページ制御部１１０２Ｂは、テキストが縦書きで表示されている場合、第１の操作命令を受け付けて、第１の表示制御部１１０３Ｂが表示すべきページを先に進める。たとえば、ページ制御部１１０２Ｂは、第１の操作命令を受け付けて、第１の表示制御部１１０３Ｂが表示すべきページや行などを示す情報を第１の表示制御部１１０３Ｂに受け渡す。あるいは、ページ制御部１１０２Ｂは、第１の表示制御部１１０３Ｂに現在表示中のページの次のページを表示する旨の第１の指令を与えてもよい。
【０２９３】
ページ制御部１１０２Ｂは、テキストが縦書きで表示されている場合、第２の操作命令を受け付けて、第１の表示制御部１１０３Ｂが表示すべきページを前に戻す。たとえば、ページ制御部１１０２Ｂは、第２の操作命令を受け付けて、第１の表示制御部１１０３Ｂが表示すべきページや行などを示す情報を第１の表示制御部１１０３Ｂに受け渡す。あるいは、ページ制御部１１０２Ｂは、第１の表示制御部１１０３Ｂに現在表示中のページの前のページを表示する旨の第２の指令を与えてもよい。
【０２９４】
ページ制御部１１０２Ｂは、テキストが縦書きで表示されている場合、第３の操作命令を受け付けて、拡大エリアを先に進める。たとえば、ページ制御部１１０２Ｂは、第３の操作命令を受け付けて、第１の表示制御部１１０３Ｂが表示すべきページや行などを示す情報を第１の表示制御部１１０３Ｂに受け渡す。あるいは、ページ制御部１１０２Ｂは、第１の表示制御部１１０３Ｂに現在表示中のページを数行進める旨の第３の指令を与えてもよい。あるいは、ページ制御部１１０２Ｂは、第１の表示制御部１１０３Ｂに、拡大エリア自体を数行分先へ（第１の表示パネル１４０の左方向へ）移動させる旨の第３の指令を与えてもよい。
【０２９５】
ページ制御部１１０２Ｂは、テキストが縦書きで表示されている場合、第４の操作命令を受け付けて、拡大エリアを前に戻す。たとえば、ページ制御部１１０２Ｂは、第４の操作命令を受け付けて、第１の表示制御部１１０３Ｂが表示すべきページや行などを示す情報を第１の表示制御部１１０３Ｂに受け渡す。あるいは、ページ制御部１１０２Ｂは、第１の表示制御部１１０３Ｂに現在表示中のページを数行戻す旨の第４の指令を与えてもよい。あるいは、ページ制御部１１０２Ｂは、第１の表示制御部１１０３Ｂに、拡大エリア自体を数行分前へ（第１の表示パネル１４０の右方向へ）移動させる旨の第４の指令を与えてもよい。
【０２９６】
一方、ページ制御部１１０２Ｂは、テキストが横書きで表示されている場合、第１の操作命令を受け付けて、第１の表示制御部１１０３Ｂが表示すべきページを前に戻す。たとえば、ページ制御部１１０２Ｂは、第１の操作命令を受け付けて、第１の表示制御部１１０３Ｂが表示すべきページや行などを示す情報を第１の表示制御部１１０３Ｂに受け渡す。あるいは、ページ制御部１１０２Ｂは、第１の表示制御部１１０３Ｂに現在表示中のページの前のページを表示する旨の第２の指令を与えてもよい。
【０２９７】
ページ制御部１１０２Ｂは、テキストが横書きで表示されている場合、第２の操作命令を受け付けて、第１の表示制御部１１０３Ｂが表示すべきページを先に進める。たとえば、ページ制御部１１０２Ｂは、第２の操作命令を受け付けて、第１の表示制御部１１０３Ｂが表示すべきページや行などを示す情報を第１の表示制御部１１０３Ｂに受け渡す。あるいは、ページ制御部１１０２Ｂは、第１の表示制御部１１０３Ｂに現在表示中のページの次のページを表示する旨の第１の指令を与えてもよい。
【０２９８】
ページ制御部１１０２Ｂは、テキストが横書きで表示されている場合、第３の操作命令を受け付けて、拡大エリアを前に戻す。たとえば、ページ制御部１１０２Ｂは、第３の操作命令を受け付けて、第１の表示制御部１１０３Ｂが表示すべきページや行などを示す情報を第１の表示制御部１１０３Ｂに受け渡す。あるいは、ページ制御部１１０２Ｂは、第１の表示制御部１１０３Ｂに現在表示中のページを数行戻す旨の第４の指令を与えてもよい。あるいは、ページ制御部１１０２Ｂは、第１の表示制御部１１０３Ｂに、拡大エリア自体を数行分前へ（第１の表示パネル１４０の上方向へ）移動する旨の第４の指令を与えてもよい。
【０２９９】
ページ制御部１１０２Ｂは、テキストが横書きで表示されている場合、第４の操作命令を受け付けて、拡大エリアを先に進める。たとえば、ページ制御部１１０２Ｂは、第４の操作命令を受け付けて、第１の表示制御部１１０３Ｂが表示すべきページや行などを示す情報を第１の表示制御部１１０３Ｂに受け渡す。あるいは、ページ制御部１１０２Ｂは、第１の表示制御部１１０３Ｂに現在表示中のページを数行進める旨の第３の指令を与えてもよい。あるいは、ページ制御部１１０２Ｂは、第１の表示制御部１１０３Ｂに、拡大エリア自体を数行分先へ（第１の表示パネル１４０の下方向へ）移動する旨の第３の指令を与えてもよい。
【０３００】
第１の表示制御部１１０３Ｂは、ページ制御部１１０２Ｂからのページ指定を受け付けて、テキストデータ１７１Ａに基づいて、図２４（Ａ）に示すように、第１の表示パネル１４０を介してテキストを表示する。そして、第１の表示制御部１１０３Ｂは、ページ制御部１１０２Ｂから第１の指令を受け付けて、図２４（Ｃ）に示すように、テキストの４ページ目を表示する。
【０３０１】
同様に、テキスト図２４（Ａ）が表示された状態において、第１の表示制御部１１０３Ｂは、ページ制御部１１０２Ｂからの第２の指令を受け付けて、テキストの２ページ目を表示する。
【０３０２】
同様に、テキスト図２４（Ａ）が表示された状態において、第１の表示制御部１１０３Ｂは、ページ制御部１１０２Ｂから第３の指令を受け付けて、図２４（Ｅ）に示すように、３ページ目の３行目からのテキストを表示する。このとき、第１の表示制御部１１０３Ｂは、第１の表示パネル１４０の中心エリア、すなわちテキストの３ページ目の６行目と７行目の文字のフォントを拡大して表示する。
【０３０３】
同様に、テキスト図２４（Ａ）が表示された状態において、第１の表示制御部１１０３Ｂは、ページ制御部１１０２Ｂからの第４の指令を受け付けて、２ページ目の最後の２行目からのテキストを表示する。このとき、第１の表示制御部１１０３Ｂは、第１の表示パネル１４０の中心エリア、すなわちテキストの３ページ目の２行目と３行目の文字のフォントを拡大して表示する。
【０３０４】
ただし、第１の表示制御部１１０３Ｂは、ページ制御部１１０２Ｂからの第３あるいは第４の指令に基づいて、拡大エリア自体を移動させてもよい。すなわち、第１の表示制御部１１０３Ｂは、第３の指令に基づいて、表示対象エリアを変更することなく拡大エリアを先（第１の表示パネル１４０における左方向あるいは下方向）へ移動させてもよい。そして、第１の表示制御部１１０３Ｂは、第４の指令に基づいて、表示対象エリアを変更することなく拡大エリアを前（第１の表示パネル１４０における右方向あるいは上方向）へ移動させてもよい。
【０３０５】
なお、本実施の形態においては、受付部１１０１Ｂとページ制御部１１０２Ｂと第１の表示制御部１１０３Ｂと第２の表示制御部１１１０とを異なる機能ブロックとして説明した。しかしながら、それらの２つ以上を１つの機能ブロックにまとめてもよいし、それらの１つを２つ以上の機能ブロックに分割してもよい。
【０３０６】
たとえば、受付部１１０１Ｂと第２の表示制御部１１１０とがＣＰＵ２１０が実現する１つのモジュールとして構成され、ページ制御部１１０２Ｂと第１の表示制御部１１０３ＢとがＣＰＵ１１０が実現する１つのモジュールとして構成されてもよい。この場合には、ＣＰＵ２１０からＣＰＵ１１０へと、第１〜第４の操作命令が受け渡される。
【０３０７】
＜縦処理＞
次に、図３、図２４、図２５、図２６などを参照して、本実施の形態に係る電子機器１００Ｘにおける縦処理（ステップＳ２００）について説明する。なお、表示処理については、実施の形態１に係る図２１と同様であるため、ここでは説明を繰り返さない。すなわち、ここでは、テキストが縦書きで表示されている場合についての処理について説明する。図２６は、本実施の形態に係る電子機器１００Ｘにおける縦処理（ステップＳ２００）の処理手順を示すフローチャートである。
【０３０８】
まず、受付部１１０１Ｂとして機能するＣＰＵ１１０（ＣＰＵ２１０）は、第２の表示パネル２４０を介して、右方向へのタッチ操作を受け付けたか否かを判断する（ステップＳ２１２）。すなわち、ＣＰＵ１１０は、第２の表示パネル２４０の接触箇所が右方向に移動したか否かを判断する。ＣＰＵ１１０は、右方向へのタッチ操作を受け付けた場合（ステップＳ２１２にてＹＥＳである場合）、タッチ操作の移動距離を計算する。ＣＰＵ１１０は、移動距離が所定の値以上であるか否かを判断する（ステップＳ２１４）。
【０３０９】
ページ制御部１１０２Ｂとして機能するＣＰＵ１１０は、移動距離が所定の値以上である場合（ステップＳ２１４にてＹＥＳである場合）、現在表示されているページを１ページ進めるための指示を生成する。図２４（Ｃ）に示すように、第１の表示制御部１１０３Ｂとして機能するＣＰＵ１１０は、第１の表示パネル１４０を介して、テキストの次のページを表示する（ステップＳ２１６）。
【０３１０】
ページ制御部１１０２Ｂとして機能するＣＰＵ１１０は、移動距離が所定の値未満である場合（ステップＳ２１４にてＮＯである場合）、現在表示されているページを所定行進めるための指示を生成する。図２４（Ｅ）に示すように、第１の表示制御部１１０３Ｂとして機能するＣＰＵ１１０は、第１の表示パネル１４０を介して、所定行進めたテキストを表示する（ステップＳ２１８）。
【０３１１】
一方、受付部１１０１Ｂとして機能するＣＰＵ１１０は、右方向のタッチ操作を受け付けない場合（ステップＳ２１２にてＮＯである場合）、第２の表示パネル２４０を介して、左方向へのタッチ操作を受け付けたか否かを判断する（ステップＳ２２０）。すなわち、ＣＰＵ１１０は、第２の表示パネル２４０の接触箇所が左方向に移動したか否かを判断する。ＣＰＵ１１０は、左方向へのタッチ操作を受け付けた場合（ステップＳ２２０にてＹＥＳである場合）、タッチ操作の移動距離を計算する。ＣＰＵ１１０は、移動距離が所定の値以上であるか否かを判断する（ステップＳ２２２）。
【０３１２】
ページ制御部１１０２Ｂとして機能するＣＰＵ１１０は、移動距離が所定の値以上である場合（ステップＳ２２２にてＹＥＳである場合）、現在表示されているページを１ページ戻すための指示を生成する。第１の表示制御部１１０３Ｂとして機能するＣＰＵ１１０は、第１の表示パネル１４０を介して、テキストの前のページを表示する（ステップＳ２２４）。
【０３１３】
ページ制御部１１０２Ｂとして機能するＣＰＵ１１０は、移動距離が所定の値未満である場合（ステップＳ２２２にてＮＯである場合）、現在表示されているページを所定行戻すための指示を生成する。第１の表示制御部１１０３Ｂとして機能するＣＰＵ１１０は、第１の表示パネル１４０を介して、所定行戻したテキストを表示する（ステップＳ２２６）。
【０３１４】
ＣＰＵ１１０は、左方向のタッチ操作を受け付けない場合（ステップＳ２２０においてＮＯである場合）、新たなページを表示した場合（ステップＳ２１６、ステップＳ２１８、ステップＳ２２４、ステップＳ２２６）、縦処理（ステップＳ２００）を終了する。
【０３１５】
＜横処理＞
次に、図３、図２４、図２５、図２７を参照して、本実施の形態に係る電子機器１００Ｘにおける横処理（ステップＳ３００）について説明する。なお、表示処理については、実施の形態１に係る図２１と同様であるため、ここでは説明を繰り返さない。すなわち、ここでは、テキストが横書きで表示されている場合についての処理について説明する。図２７は、本実施の形態に係る電子機器１００Ｘにおける横処理（ステップＳ３００）の処理手順を示すフローチャートである。
【０３１６】
まず、受付部１１０１Ｂとして機能するＣＰＵ１１０（ＣＰＵ２１０）は、第２の表示パネル２４０を介して、右方向へのタッチ操作を受け付けたか否かを判断する（ステップＳ３１２）。すなわち、ＣＰＵ１１０は、第２の表示パネル２４０の接触箇所が右方向に移動したか否かを判断する。ＣＰＵ１１０は、右方向へのタッチ操作を受け付けた場合（ステップＳ３１２にてＹＥＳである場合）、タッチ操作の移動距離を計算する。ＣＰＵ１１０は、移動距離が所定の値以上であるか否かを判断する（ステップＳ３１４）。
【０３１７】
ページ制御部１１０２Ｂとして機能するＣＰＵ１１０は、移動距離が所定の値以上である場合（ステップＳ３１４にてＹＥＳである場合）、現在表示されているページを１ページ戻すための指示を生成する。第１の表示制御部１１０３Ｂとして機能するＣＰＵ１１０は、第１の表示パネル１４０を介して、テキストの前のページを表示する（ステップＳ３１６）。
【０３１８】
ページ制御部１１０２Ｂとして機能するＣＰＵ１１０は、移動距離が所定の値未満である場合（ステップＳ３１４にてＮＯである場合）、現在表示されているページを所定行戻すための指示を生成する。第１の表示制御部１１０３Ｂとして機能するＣＰＵ１１０は、第１の表示パネル１４０を介して、所定行戻したテキストを表示する（ステップＳ３１８）。
【０３１９】
一方、受付部１１０１Ｂとして機能するＣＰＵ１１０は、右方向のタッチ操作を受け付けない場合（ステップＳ３１２にてＮＯである場合）、第２の表示パネル２４０を介して、左方向へのタッチ操作を受け付けたか否かを判断する（ステップＳ３２０）。すなわち、ＣＰＵ１１０は、第２の表示パネル２４０の接触箇所が左方向に移動したか否かを判断する。ＣＰＵ１１０は、左方向へのタッチ操作を受け付けた場合（ステップＳ３２０にてＹＥＳである場合）、タッチ操作の移動距離を計算する。ＣＰＵ１１０は、移動距離が所定の値以上であるか否かを判断する（ステップＳ３２２）。
【０３２０】
ページ制御部１１０２Ｂとして機能するＣＰＵ１１０は、移動距離が所定の値以上である場合（ステップＳ３２２にてＹＥＳである場合）、現在表示されているページを１ページ進めるための指示を生成する。第１の表示制御部１１０３Ｂとして機能するＣＰＵ１１０は、第１の表示パネル１４０を介して、テキストの次のページを表示する（ステップＳ３２４）。
【０３２１】
ページ制御部１１０２Ｂとして機能するＣＰＵ１１０は、移動距離が所定の値未満である場合（ステップＳ３２２にてＮＯである場合）、現在表示されているページを所定行進めるための指示を生成する。第１の表示制御部１１０３Ｂとして機能するＣＰＵ１１０は、第１の表示パネル１４０を介して、所定行進めたテキストを表示する（ステップＳ３２６）。
【０３２２】
ＣＰＵ１１０は、左方向のタッチ操作を受け付けない場合（ステップＳ３２０においてＮＯである場合）、新たなページを表示した場合（ステップＳ３１６、ステップＳ３１８、ステップＳ３２４、ステップＳ３２６）、横処理（ステップＳ３００）を終了する。
【０３２３】
＜変形例＞
本実施の形態に係る電子機器１００Ｘは、テキストの表示方向と、タッチ操作のストロークの長さとに応じて、ページの切り替え処理が異なるものである。特に、上記の電子機器１００Ｘは、表示しているテキストの一部のエリア内の文字をその他のエリアの文字よりも大きなフォントで表示させるとともに、ストロークの長さに応じてテキストをページ単位で進めたり行単位で進めたりする。しかしながら、表示されている文字のフォントを全て同じにしてもよい。また、表示対象エリア（表示対象ページ）を進める量は、適宜選択されることが好ましい。
【０３２４】
さらに、電子機器１００Ｘは、ストロークの長さに応じて、３つ以上の段階で、進める量を変化させてもよい。たとえば、電子機器１００Ｘは、短いストロークを受け付けてテキストを１ページ進め、中ストロークを受け付けてテキストを３ページ進め、長いストロークを受け付けてテキストを５ページ進めてもよい。
【０３２５】
以下では、本実施の形態に係る電子機器１００Ｘの１つの変形例の動作概要について説明する。図２８は、本実施の形態に係る電子機器１００Ｘの変形例の外観を示すイメージ図である。より詳細には、図２８（Ａ）は第１の表示パネル１４０（あるいは表示装置１０２Ａ）がテキストの３ページ目を縦書きで表示した状態の電子機器１００Ｘのイメージ図である。図２８（Ｂ）は第２の表示パネル２４０（タッチパネル）に右方向の長いタッチ操作が入力されたときの電子機器１００Ｘのイメージ図である。図２８（Ｃ）はテキストを５ページ進めた状態の電子機器１００Ｘのイメージ図である。図２８（Ｄ）は第２の表示パネル２４０（タッチパネル）に右方向の短いタッチ操作が入力されたときの電子機器１００Ｘのイメージ図である。図２８（Ｅ）はテキストを１ページ進めた状態の電子機器１００Ｘのイメージ図である。
【０３２６】
ここでは、図２８（Ａ）〜図２８（Ｅ）を参照して、電子機器１００Ｘが、テキストを縦書きで表示する場合について説明する。また、表示中の全ての文字のフォントが同じ場合について説明する。
【０３２７】
図２８（Ａ）を参照して、電子機器１００Ｘは、第１の表示パネル１４０にテキストの３ページ目を縦書きで表示させる。より詳細には、電子機器１００Ｘは、ユーザからの操作を受け付けて、ユーザが所望するページを第１の表示パネル１４０に表示させる。電子機器１００Ｘは、第２の表示パネル２４０を介して、ユーザからのページ切り替え命令を受け付ける。
【０３２８】
図２８（Ｂ）を参照して、電子機器１００Ｘは、第２の表示パネル２４０を介して、ユーザから右方向の長いタッチ操作（ロングストローク）を受け付ける。すなわち、ユーザが、指９００などを第２の表示パネル２４０に接触させた状態で、指９００を右方向に長い距離スライドさせる。より詳細には、電子機器１００Ｘは、第２の表示パネル２４０と指９００との接触位置を検知することによって、右方向の長いタッチ操作を受け付ける。
【０３２９】
図２８（Ｃ）を参照して、電子機器１００Ｘは、第１の表示パネル１４０にテキストの８ページ目を表示させる。すなわち、電子機器１００Ｘは、テキストを縦書きで表示している際には、右方向への長いタッチ操作に応じて、表示しているテキストを５ページ分だけ先に進める。
【０３３０】
図２８（Ｄ）を参照して、電子機器１００Ｘは、第２の表示パネル２４０を介して、ユーザから右方向の短いタッチ操作（ショートストローク）を受け付ける。すなわち、ユーザが、指９００などを第２の表示パネル２４０に接触させた状態で、指９００を右方向に短い距離スライドさせる。より詳細には、電子機器１００Ｘは、第２の表示パネル２４０と指９００との接触位置を検知することによって、右方向の短いタッチ操作を受け付ける。
【０３３１】
図２８（Ｅ）を参照して、電子機器１００Ｘは、第１の表示パネル１４０にテキストの４ページ目を表示させる。すなわち、電子機器１００Ｘは、テキストを縦書きで表示している際には、右方向への短いタッチ操作に応じて、表示しているテキストを１ページ分だけ先に進める。
【０３３２】
なお、電子機器１００Ｘが左方向のタッチ操作を受け付けた場合については、実施の形態１の図１と同様に、電子機器１００Ｘは右方向のタッチ操作を受け付けた場合の逆の処理を行う。そのため、電子機器１００Ｘが左方向のタッチ操作を受け付けた場合の動作概要の説明はここでは繰り返さない。
【０３３３】
また、電子機器１００Ｘがテキストを横書きで表示する場合については、実施の形態１の図１および図２と同様に、電子機器１００Ｘがテキストを縦書きで表示する場合の逆の処理を行う。そのため、電子機器１００Ｘがテキストを横書きで表示する場合の動作概要の説明はここでは繰り返さない。
【０３３４】
［実施の形態３］
次に、本発明の実施の形態３について説明する。上述の実施の形態２に係る電子機器１００Ｘは、テキストの表示方向と、タッチ操作のストロークの長さとに応じて、ページの切り替え処理が異なるものであった。一方、本実施の形態に係る電子機器１００Ｙは、テキストの表示方向と、タッチ操作の接触位置とに応じて、ページの切り替え処理が異なるものである。以下では、電子機器１００Ｙが、全ての文字を同じフォントにて表示する場合について説明する。
【０３３５】
＜電子機器１００Ｙの動作概要＞
（テキストが縦書き表示されている場合の動作概要１）
本実施の形態に係る電子機器１００Ｙの動作概要について説明する。まず、電子機器１００Ｙが、テキストを縦書きで表示しているときに、右方向へのタッチ操作を受け付けた場合について説明する。
【０３３６】
図２９は、本実施の形態に係る電子機器１００Ｙの外観を示す第１のイメージ図である。より詳細には、図２９（Ａ）は第１の表示パネル１４０（あるいは表示装置１０２Ａ）がテキストの３ページ目を縦書きで表示した状態の電子機器１００Ｙのイメージ図である。図２９（Ｂ）は第２の表示パネル２４０（タッチパネル）に右方向の第１のタッチ操作が入力されたときの電子機器１００Ｙのイメージ図である。図２９（Ｃ）はテキストを１ページ進めた状態の電子機器１００Ｙのイメージ図である。図２９（Ｄ）は第２の表示パネル２４０（タッチパネル）に右方向の第２のタッチ操作が入力されたときの電子機器１００Ｙのイメージ図である。図２９（Ｅ）はテキストを５ページ進めた状態の電子機器１００Ｙのイメージ図である。
【０３３７】
図２９（Ａ）を参照して、電子機器１００Ｙは、第１の表示パネル１４０にテキストの３ページ目を縦書きで表示させる。より詳細には、電子機器１００Ｙは、ユーザからの操作を受け付けて、ユーザが所望するページを第１の表示パネル１４０に表示させる。電子機器１００Ｙは、第２の表示パネル２４０を介して、ユーザからのページ切り替え命令を受け付ける。
【０３３８】
本実施の形態においては、図２９（Ｂ）および図２９（Ｄ）に示すように、電子機器１００Ｙは、第１の表示パネル１４０にテキストを縦書きで表示する際には、第２の表示パネル２４０の左側にテキストを１ページ進めるためのソフトウェアキーとテキストを５ページ進めるためのソフトウェアキーを表示するとともに、第２の表示パネル２４０の右側にテキストを１ページ戻すためのソフトウェアキーとテキストを５ページ戻すためのソフトウェアキーを表示する。
【０３３９】
図２９（Ｂ）を参照して、電子機器１００Ｙは、第２の表示パネル２４０を介して、ユーザからテキストを１ページ進めるためのソフトウェアキーを起点とした右方向のタッチ操作を受け付ける。すなわち、ユーザが、指９００などを第２の表示パネル２４０のテキストを１ページ進めるためのソフトウェアキー上に接触させてから、指９００を右方向にスライドさせる。より詳細には、電子機器１００Ｙは、第２の表示パネル２４０と指９００との接触位置がテキストを１ページ進めるためのソフトウェアキーの表示エリア内に出現したことと、接触位置が右方向へ移動したこととを検知する。
【０３４０】
図２９（Ｃ）を参照して、電子機器１００Ｙは、第１の表示パネル１４０にテキストの４ページ目を表示させる。すなわち、電子機器１００Ｙは、テキストを縦書きで表示している際には、テキストを１ページ進めるためのソフトウェアキーを起点とした右方向へのタッチ操作に応じて、表示しているテキストを１ページ先に進める。
【０３４１】
図２９（Ｄ）を参照して、電子機器１００Ｙは、第２の表示パネル２４０を介して、ユーザからテキストを５ページ進めるためのソフトウェアキーを起点とした右方向のタッチ操作を受け付ける。すなわち、ユーザが、指９００などを第２の表示パネル２４０のテキストを５ページ進めるためのソフトウェアキー上に接触させてから、指９００を右方向にスライドさせる。より詳細には、電子機器１００Ｙは、第２の表示パネル２４０と指９００との接触位置がテキストを５ページ進めるためのソフトウェアキーの表示エリア内に出現したことと、接触位置が右方向へ移動したこととを検知する。
【０３４２】
図２９（Ｅ）を参照して、電子機器１００Ｙは、第１の表示パネル１４０にテキストの８ページ目を表示させる。すなわち、電子機器１００Ｙは、テキストを縦書きで表示している際には、テキストを５ページ進めるためのソフトウェアキーを起点とした右方向へのタッチ操作に応じて、表示しているテキストを５ページ先に進める。
【０３４３】
（テキストが縦書き表示されている場合の動作概要２）
次に、電子機器１００Ｙが、テキストを縦書きで表示しているときに、左方向へのタッチ操作を受け付けた場合について説明する。
【０３４４】
図３０は、本実施の形態に係る電子機器１００Ｙの外観を示す第２のイメージ図である。より詳細には、図３０（Ａ）は第１の表示パネル１４０（あるいは表示装置１０２Ａ）がテキストの３ページ目を縦書きで表示した状態の電子機器１００Ｙのイメージ図である。図３０（Ｂ）は第２の表示パネル２４０（タッチパネル）に左方向の第１のタッチ操作が入力されたときの電子機器１００Ｙのイメージ図である。図３０（Ｃ）はテキストを１ページ戻した状態の電子機器１００Ｙのイメージ図である。図３０（Ｄ）は第２の表示パネル２４０（タッチパネル）に左方向の第２のタッチ操作が入力されたときの電子機器１００Ｙのイメージ図である。図３０（Ｅ）はテキストを最初のページに戻した状態の電子機器１００Ｙのイメージ図である。
【０３４５】
図３０（Ａ）を参照して、電子機器１００Ｙは、第１の表示パネル１４０にテキストの３ページ目を縦書きで表示させる。より詳細には、電子機器１００Ｙは、ユーザからの操作を受け付けて、ユーザが所望するページを第１の表示パネル１４０に表示させる。電子機器１００Ｙは、第２の表示パネル２４０を介して、ユーザからのページ切り替え命令を受け付ける。
【０３４６】
前述したように、本実施の形態においては、図３０（Ｂ）および図３０（Ｄ）に示すように、電子機器１００Ｙは、第１の表示パネル１４０にテキストを縦書きで表示する際には、第２の表示パネル２４０の左側にテキストを１ページ進めるためのソフトウェアキーとテキストを５ページ進めるためのソフトウェアキーを表示するとともに、第２の表示パネル２４０の右側にテキストを１ページ戻すためのソフトウェアキーとテキストを５ページ戻すためのソフトウェアキーを表示する。
【０３４７】
図３０（Ｂ）を参照して、電子機器１００Ｙは、第２の表示パネル２４０を介して、ユーザからテキストを１ページ戻すためのソフトウェアキーを起点とした左方向のタッチ操作を受け付ける。すなわち、ユーザが、指９００などを第２の表示パネル２４０のテキストを１ページ戻すためのソフトウェアキー上に接触させてから、指９００を右方向にスライドさせる。より詳細には、電子機器１００Ｙは、第２の表示パネル２４０と指９００との接触位置がテキストを１ページ戻すためのソフトウェアキーの表示エリア内に出現したことと、接触位置が左方向へ移動したこととを検知する。
【０３４８】
図３０（Ｃ）を参照して、電子機器１００Ｙは、第１の表示パネル１４０にテキストの２ページ目を表示させる。すなわち、電子機器１００Ｙは、テキストを縦書きで表示している際には、テキストを１ページ戻すためのソフトウェアキーを起点とした左方向へのタッチ操作に応じて、表示しているテキストを１ページ前に戻す。
【０３４９】
図３０（Ｄ）を参照して、電子機器１００Ｙは、第２の表示パネル２４０を介して、ユーザからテキストを５ページ戻すためのソフトウェアキーを起点とした左方向のタッチ操作を受け付ける。すなわち、ユーザが、指９００などを第２の表示パネル２４０のテキストを５ページ戻すためのソフトウェアキー上に接触させてから、指９００を左方向にスライドさせる。より詳細には、電子機器１００Ｙは、第２の表示パネル２４０と指９００との接触位置がテキストを５ページ戻すためのソフトウェアキーの表示エリア内に出現したことと、接触位置が左方向へ移動したこととを検知する。
【０３５０】
図３０（Ｅ）を参照して、電子機器１００Ｙは、第１の表示パネル１４０にテキストの最初のページ目を表示させる。なお、電子機器１００Ｙは、テキストの８ページ目を表示している際にこの操作を受け付けると、テキストの３ページ目を表示させる。すなわち、電子機器１００Ｙは、テキストを縦書きで表示している際には、テキストを５ページ戻すためのソフトウェアキーを起点とした左方向へのタッチ操作に応じて、表示しているテキストを５ページ前に戻す。
【０３５１】
（テキストが横書き表示されている場合の動作概要１）
次に、電子機器１００Ｙが、テキストを横書きで表示しているときに、右方向へのタッチ操作を受け付けた場合について説明する。
【０３５２】
図３１は、本実施の形態に係る電子機器１００Ｙの外観を示す第３のイメージ図である。より詳細には、図３１（Ａ）は第１の表示パネル１４０（あるいは表示装置１０２Ａ）がテキストの３ページ目を横書きで表示した状態の電子機器１００Ｙのイメージ図である。図３１（Ｂ）は第２の表示パネル２４０（タッチパネル）に右方向の第１のタッチ操作が入力されたときの電子機器１００Ｙのイメージ図である。図３１（Ｃ）はテキストを１ページ戻した状態の電子機器１００Ｙのイメージ図である。図３１（Ｄ）は第２の表示パネル２４０（タッチパネル）に右方向の第２のタッチ操作が入力されたときの電子機器１００Ｙのイメージ図である。図３１（Ｅ）はテキストを最初のページに戻した状態の電子機器１００Ｙのイメージ図である。
【０３５３】
図３１（Ａ）を参照して、電子機器１００Ｙは、第１の表示パネル１４０にテキストの３ページ目を横書きで表示させる。より詳細には、電子機器１００Ｙは、ユーザからの操作を受け付けて、ユーザが所望するページを第１の表示パネル１４０に表示させる。電子機器１００Ｙは、第２の表示パネル２４０を介して、ユーザからのページ切り替え命令を受け付ける。
【０３５４】
本実施の形態においては、図３１（Ｂ）および図３１（Ｄ）に示すように、電子機器１００Ｙは、第１の表示パネル１４０にテキストを横書きで表示する際には、第２の表示パネル２４０の左側にテキストを１ページ戻すためのソフトウェアキーとテキストを５ページ戻すためのソフトウェアキーを表示するとともに、第２の表示パネル２４０の右側にテキストを１ページ進めるためのソフトウェアキーとテキストを５ページ進めるためのソフトウェアキーを表示する。
【０３５５】
図３１（Ｂ）を参照して、電子機器１００Ｙは、第２の表示パネル２４０を介して、ユーザからテキストを１ページ戻すためのソフトウェアキーを起点とした右方向のタッチ操作を受け付ける。すなわち、ユーザが、指９００などを第２の表示パネル２４０のテキストを１ページ戻すためのソフトウェアキー上に接触させてから、指９００を右方向にスライドさせる。より詳細には、電子機器１００Ｙは、第２の表示パネル２４０と指９００との接触位置がテキストを１ページ戻すためのソフトウェアキーの表示エリア内に出現したことと、接触位置が右方向へ移動したこととを検知する。
【０３５６】
図３１（Ｃ）を参照して、電子機器１００Ｙは、第１の表示パネル１４０にテキストの２ページ目を表示させる。すなわち、電子機器１００Ｙは、テキストを横書きで表示している際には、テキストを１ページ戻すためのソフトウェアキーを起点とした右方向へのタッチ操作に応じて、表示しているテキストを１ページ前に戻す。
【０３５７】
図３１（Ｄ）を参照して、電子機器１００Ｙは、第２の表示パネル２４０を介して、ユーザからテキストを５ページ戻すためのソフトウェアキーを起点とした右方向のタッチ操作を受け付ける。すなわち、ユーザが、指９００などを第２の表示パネル２４０のテキストを５ページ戻すためのソフトウェアキー上に接触させてから、指９００を右方向にスライドさせる。より詳細には、電子機器１００Ｙは、第２の表示パネル２４０と指９００との接触位置がテキストを５ページ戻すためのソフトウェアキーの表示エリア内に出現したことと、接触位置が右方向へ移動したこととを検知する。
【０３５８】
図３１（Ｅ）を参照して、電子機器１００Ｙは、第１の表示パネル１４０にテキストの最初のページを表示させる。なお、電子機器１００は、テキストの８ページ目を表示している際にこの操作を受け付けると、テキストの３ページ目を表示させる。すなわち、電子機器１００Ｙは、テキストを横書きで表示している際には、テキストを５ページ戻すためのソフトウェアキーを起点とした右方向へのタッチ操作に応じて、表示しているテキストを５ページ前に戻す。
【０３５９】
（テキストが横書き表示されている場合の動作概要２）
次に、電子機器１００Ｙが、テキストを横書きで表示しているときに、左方向へのタッチ操作を受け付けた場合について説明する。
【０３６０】
図３２は、本実施の形態に係る電子機器１００Ｙの外観を示す第４のイメージ図である。より詳細には、図３２（Ａ）は第１の表示パネル１４０（あるいは表示装置１０２Ａ）がテキストの３ページ目を横書きで表示した状態の電子機器１００Ｙのイメージ図である。図３２（Ｂ）は第２の表示パネル２４０（タッチパネル）に左方向の第１のタッチ操作が入力されたときの電子機器１００Ｙのイメージ図である。図３２（Ｃ）はテキストを１ページ進めた状態の電子機器１００Ｙのイメージ図である。図３２（Ｄ）は第２の表示パネル２４０（タッチパネル）に左方向の第２のタッチ操作が入力されたときの電子機器１００Ｙのイメージ図である。図３２（Ｅ）はテキストを５ページ進めた状態の電子機器１００Ｙのイメージ図である。
【０３６１】
図３２（Ａ）を参照して、電子機器１００Ｙは、第１の表示パネル１４０にテキストの３ページ目を横書きで表示させる。より詳細には、電子機器１００Ｙは、ユーザからの操作を受け付けて、ユーザが所望するページを第１の表示パネル１４０に表示させる。電子機器１００Ｙは、第２の表示パネル２４０を介して、ユーザからのページ切り替え命令を受け付ける。
【０３６２】
前述したように、本実施の形態においては、図３２（Ｂ）および図３２（Ｄ）に示すように、電子機器１００Ｙは、第１の表示パネル１４０にテキストを横書きで表示する際には、第２の表示パネル２４０の左側にテキストを１ページ戻すためのソフトウェアキーとテキストを５ページ戻すためのソフトウェアキーを表示するとともに、第２の表示パネル２４０の右側にテキストを１ページ進めるためのソフトウェアキーとテキストを５ページ進めるためのソフトウェアキーを表示する。
【０３６３】
図３２（Ｂ）を参照して、電子機器１００Ｙは、第２の表示パネル２４０を介して、ユーザからテキストを１ページ進めるためのソフトウェアキーを起点とした左方向のタッチ操作を受け付ける。すなわち、ユーザが、指９００などを第２の表示パネル２４０のテキストを１ページ進めるためのソフトウェアキー上に接触させてから、指９００を左方向にスライドさせる。より詳細には、電子機器１００Ｙは、第２の表示パネル２４０と指９００との接触位置がテキストを１ページ進めるためのソフトウェアキーの表示エリア内に出現したことと、接触位置が左方向へ移動したこととを検知する。
【０３６４】
図３２（Ｃ）を参照して、電子機器１００Ｙは、第１の表示パネル１４０にテキストの４ページ目を表示させる。すなわち、電子機器１００Ｙは、テキストを横書きで表示している際には、テキストを１ページ進めるためのソフトウェアキーを起点とした左方向へのタッチ操作に応じて、表示しているテキストを１ページ先に進める。
【０３６５】
図３２（Ｄ）を参照して、電子機器１００Ｙは、第２の表示パネル２４０を介して、ユーザからテキストを５ページ進めるためのソフトウェアキーを起点とした左方向のタッチ操作を受け付ける。すなわち、ユーザが、指９００などを第２の表示パネル２４０のテキストを５ページ進めるためのソフトウェアキー上に接触させてから、指９００を左方向にスライドさせる。より詳細には、電子機器１００Ｙは、第２の表示パネル２４０と指９００との接触位置がテキストを５ページ進めるためのソフトウェアキーの表示エリア内に出現したことと、接触位置が左方向へ移動したこととを検知する。
【０３６６】
図３２（Ｅ）を参照して、電子機器１００Ｙは、第１の表示パネル１４０にテキストの８ページ目を表示させる。すなわち、電子機器１００Ｙは、テキストを横書きで表示している際には、テキストを５ページ進めるためのソフトウェアキーを起点とした左方向へのタッチ操作に応じて、表示しているテキストを５ページ先に進める。
【０３６７】
このように、本実施の形態に係る電子機器１００Ｙは、テキストが縦書きで表示されている場合と、テキストが横書きで表示されている場合とにおいて、入力操作に応じて電子機器１００Ｙが実行する処理が異なる。また、タッチ操作の起点の位置に応じて、ページを進める（戻す）量が異なる。ただし、タッチ操作の起点の位置の代わりに、タッチ操作の終点の位置に応じて、進める（戻す）量が変化してもよい。以下、このような機能を実現するための構成について詳述する。
【０３６８】
本実施の形態に係るテキスト表示装置の一例である電子機器１００Ｙの全体構成、ハードウェア構成などは、実施の形態１に係る電子機器１００のそれと同様であるため、ここでは説明を繰り返さない。
【０３６９】
＜本実施の形態に係る電子機器１００Ｙの機能構成＞
以下では、図３、図２９〜図３３などを参照して、本実施の形態に係る電子機器１００Ｙの機能構成について説明する。なお、図３３は、本実施の形態に係る電子機器１００Ｙの機能構成を示すブロック図である。なお、以下では、実施の形態１に係る電子機器１００あるいは実施の形態２に係る電子機器１００Ｘと同様の機能を有するブロックについては説明を繰り返さない。
【０３７０】
本実施の形態に係る電子機器１００Ｙは、受付部１１０１Ｃと、ページ制御部１１０２Ｃと、第１の表示制御部１１０３Ｂと、第２の表示制御部１１１０Ｃとを含む。また、電子機器１００Ｙは、図３にも示したように、ＲＡＭ１７１と、第１の表示パネル１４０（あるいは表示装置１０２Ａ）と、複数の光センサ回路２４４および複数の画素回路２４１とを含む第２の表示パネル２４０とを含む。
【０３７１】
受付部１１０１Ｃと、ページ制御部１１０２Ｃと、第１の表示制御部１１０３Ｂと、第２の表示制御部１１１０Ｃとは、ＣＰＵ１１０などによって実現される機能である。より詳細には、ＣＰＵ１１０が有する各機能は、ＣＰＵ１１０がＲＡＭ１７１などに記憶される制御プログラムを実行して、図３に示される各ハードウェアを制御することによって実現される機能である。
【０３７２】
あるいは、第２の表示制御部１１１０Ｃ、受付部１１０１Ｃ、ページ制御部１１０２Ｃ、第１の表示制御部１１０３Ｂのいずれかが、ＣＰＵ２１０などによって実現されてもよい。より詳細には、ＣＰＵ２１０がＲＡＭ２７１などに記憶される制御プログラムを実行して、図３に示される各ハードウェアを制御することによって、第２の表示制御部１１１０Ｃ、受付部１１０１Ｃ、ページ制御部１１０２Ｃ、第１の表示制御部１１０３Ｂのいずれかを実現してもよい。
【０３７３】
本実施の形態に係る第１の表示制御部１１０３Ｂは、表示されている文字を全て同じフォントで表示するものとする。
【０３７４】
第２の表示制御部１１１０Ｃは、ＲＡＭ１７１から所定の画像データを読み出して、第２の表示パネル２４０に各種のソフトウェアキーなどを表示する。たとえば、図２９（Ｂ）に示すように、第２の表示制御部１１１０Ｃは、テキストを１ページ進めるためのソフトウェアキー、テキストを１ページ戻すためのソフトウェアキー、テキストを５ページ進めるためのソフトウェアキー、テキストを５ページ戻すためのソフトウェアキーなどを表示する。また、前述したように、第２の表示制御部１１１０Ｃは、第１〜第４の操作命令を受け付けた際に、第２の表示パネル２４０を介してページをめくる動画像を表示してもよい。
【０３７５】
受付部１１０１Ｃは、操作キー１７７からの電気信号、あるいは複数の光センサ回路２４４から画像処理エンジン２８０を介して入力される電気信号に基づいて、第２の表示パネル２４０に入力された操作命令や移動命令などを受け付ける。より詳細には、受付部１１０１Ｃは、センシング時間毎に第２の表示パネル２４０の画像処理エンジン２８０から出力される画像データを取得して、当該画像データに基づいて操作命令や移動命令などを生成する。
【０３７６】
受付部１１０１Ｃは、第２の表示パネル２４０を介して検出される指９００と第２の表示パネル２４０との接触位置の移動方向を判断する方向判断部１１０４を含む。方向判断部１１０４は、接触位置が右方向へ移動したか否かを判断する。また、方向判断部１１０４は、接触位置が左方向へ移動したか否かを判断する。
【０３７７】
受付部１１０１Ｃは、接触位置がテキストを１ページ進めるためのソフトウェアキーの表示エリア（第１のエリア）内に位置するか否かを判断するエリア判断部１１０７を含む。本実施の形態に係るエリア判断部１１０７は、第２の表示パネル２４０を介して最初に検知された接触位置（ストロークの起点）が第１のエリア内に位置するか否かを判断する。ただし、エリア判断部１１０７は、第２の表示パネル２４０を介して最後に検知された接触位置（ストロークの終点）が第１のエリア内に位置するか否かを判断してもよい。
【０３７８】
本実施の形態に係るエリア判断部１１０７は、第２の表示パネル２４０を介して最初に検知された接触位置（ストロークの起点）がテキストを１ページ戻すためのソフトウェアキーの表示エリア（第２のエリア）内に位置するか否かを判断する。ただし、エリア判断部１１０７は、第２の表示パネル２４０を介して最後に検知された接触位置（ストロークの終点）が第２のエリア内に位置するか否かを判断してもよい。
【０３７９】
本実施の形態に係るエリア判断部１１０７は、第２の表示パネル２４０を介して最初に検知された接触位置（ストロークの起点）がテキストを５ページ進めるためのソフトウェアキーの表示エリア（第３のエリア）内に位置するか否かを判断する。ただし、エリア判断部１１０７は、第２の表示パネル２４０を介して最後に検知された接触位置（ストロークの終点）が第３のエリア内に位置するか否かを判断してもよい。
【０３８０】
本実施の形態に係るエリア判断部１１０７は、第２の表示パネル２４０を介して最初に検知された接触位置（ストロークの起点）がテキストを５ページ戻すためのソフトウェアキーの表示エリア（第４のエリア）内に位置するか否かを判断する。ただし、エリア判断部１１０７は、第２の表示パネル２４０を介して最後に検知された接触位置（ストロークの終点）が第４のエリア内に位置するか否かを判断してもよい。
【０３８１】
受付部１１０１Ｃは、方向判断部１１０４からの判断結果とエリア判断部１１０７からの判断結果とに基づいて、ユーザからの操作命令を判断する命令判断部１１０５Ｃを含む。
【０３８２】
テキストが縦書き表示されている場合、命令判断部１１０５Ｃは、図２９（Ｂ）に示すように、接触位置が右方向へ移動したと判断した場合、かつタッチ操作のストロークの起点が第１のエリア内であると判断した場合に、第１の操作命令を受け付けたと判断する。ただし、ここでは、命令判断部１１０５Ｃは、テキストの表示方向にかかわらず、接触位置が右方向へ移動したと判断した場合、かつタッチ操作のストロークの起点が第１あるいは第２のエリア内であると判断した場合に、第１の操作命令を受け付けたと判断してもよい。
【０３８３】
テキストが縦書き表示されている場合、命令判断部１１０５Ｃは、図２９（Ｄ）に示すように、接触位置が右方向へ移動したと判断した場合、かつタッチ操作のストロークの起点が第３のエリア内であると判断した場合に、第３の操作命令を受け付けたと判断する。ただし、ここでは、命令判断部１１０５Ｃは、テキストの表示方向にかかわらず、接触位置が右方向へ移動したと判断した場合、かつタッチ操作のストロークの起点が第３あるいは第４のエリア内であると判断した場合に、第３の操作命令を受け付けたと判断してもよい。
【０３８４】
テキストが縦書き表示されている場合、命令判断部１１０５Ｃは、図３０（Ｂ）に示すように、接触位置が左方向へ移動したと判断した場合、かつタッチ操作のストロークの起点が第２のエリア内であると判断した場合に、第２の操作命令を受け付けたと判断する。ただし、ここでは、命令判断部１１０５Ｃは、テキストの表示方向にかかわらず、接触位置が左方向へ移動したと判断した場合、かつタッチ操作のストロークの起点が第１あるいは第２のエリア内であると判断した場合に、第２の操作命令を受け付けたと判断してもよい。
【０３８５】
テキストが縦書き表示されている場合、命令判断部１１０５Ｃは、図３０（Ｄ）に示すように、接触位置が左方向へ移動したと判断した場合、かつタッチ操作のストロークの起点が第４のエリア内であると判断した場合に、第４の操作命令を受け付けたと判断する。ただし、ここでは、命令判断部１１０５Ｃは、テキストの表示方向にかかわらず、接触位置が左方向へ移動したと判断した場合、かつタッチ操作のストロークの起点が第３あるいは第４のエリア内であると判断した場合に、第４の操作命令を受け付けたと判断してもよい。
【０３８６】
一方、テキストが横書き表示されている場合、命令判断部１１０５Ｃは、図３１（Ｂ）に示すように、接触位置が右方向へ移動したと判断した場合、かつタッチ操作のストロークの起点が第２のエリア内であると判断した場合に、第１の操作命令を受け付けたと判断する。ただし、ここでは、命令判断部１１０５Ｃは、テキストの表示方向にかかわらず、接触位置が右方向へ移動したと判断した場合、かつタッチ操作のストロークの起点が第１あるいは第２のエリア内であると判断した場合に、第１の操作命令を受け付けたと判断してもよい。
【０３８７】
テキストが横書き表示されている場合、命令判断部１１０５Ｃは、図３１（Ｄ）に示すように、接触位置が右方向へ移動したと判断した場合、かつタッチ操作のストロークの起点が第４のエリア内であると判断した場合に、第３の操作命令を受け付けたと判断する。ただし、ここでは、命令判断部１１０５Ｃは、テキストの表示方向にかかわらず、接触位置が右方向へ移動したと判断した場合、かつタッチ操作のストロークの起点が第３あるいは第４のエリア内であると判断した場合に、第３の操作命令を受け付けたと判断してもよい。
【０３８８】
テキストが横書き表示されている場合、命令判断部１１０５Ｃは、図３２（Ｂ）に示すように、接触位置が左方向へ移動したと判断した場合、かつタッチ操作のストロークの起点が第１のエリア内であると判断した場合に、第２の操作命令を受け付けたと判断する。ただし、ここでは、命令判断部１１０５Ｃは、テキストの表示方向にかかわらず、接触位置が左方向へ移動したと判断した場合、かつタッチ操作のストロークの起点が第１あるいは第２のエリア内であると判断した場合に、第２の操作命令を受け付けたと判断してもよい。
【０３８９】
テキストが横書き表示されている場合、命令判断部１１０５Ｃは、図３２（Ｄ）に示すように、接触位置が左方向へ移動したと判断した場合、かつタッチ操作のストロークの起点が第３のエリア内であると判断した場合に、第４の操作命令を受け付けたと判断する。ただし、ここでは、命令判断部１１０５Ｃは、テキストの表示方向にかかわらず、接触位置が左方向へ移動したと判断した場合、かつタッチ操作のストロークの起点が第３あるいは第４のエリア内であると判断した場合に、第４の操作命令を受け付けたと判断してもよい。
【０３９０】
ページ制御部１１０２Ｃは、第１の表示制御部１１０３Ｂが表示すべきテキストの箇所を指定する。すなわち、ページ制御部１１０２Ｃは、テキストが縦書きで表示されている場合、第１の操作命令を受け付けて、第１の表示制御部１１０３Ｂが表示すべきページを先に進める。たとえば、ページ制御部１１０２Ｃは、第１の操作命令を受け付けて、第１の表示制御部１１０３Ｂが表示すべきページや行などを示す情報を第１の表示制御部１１０３Ｂに受け渡す。あるいは、ページ制御部１１０２Ｃは、第１の表示制御部１１０３Ｂに現在表示中のページの次のページを表示する旨の第１の指令を与えてもよい。
【０３９１】
ページ制御部１１０２Ｃは、テキストが縦書きで表示されている場合、第２の操作命令を受け付けて、第１の表示制御部１１０３Ｂが表示すべきページを前に戻す。たとえば、ページ制御部１１０２Ｃは、第２の操作命令を受け付けて、第１の表示制御部１１０３Ｂが表示すべきページや行などを示す情報を第１の表示制御部１１０３Ｂに受け渡す。あるいは、ページ制御部１１０２Ｃは、第１の表示制御部１１０３Ｂに現在表示中のページの前のページを表示する旨の第２の指令を与えてもよい。
【０３９２】
ページ制御部１１０２Ｃは、テキストが縦書きで表示されている場合、第３の操作命令を受け付けて、第１の表示制御部１１０３Ｂが表示すべきページを先に進める。たとえば、ページ制御部１１０２Ｃは、第３の操作命令を受け付けて、第１の表示制御部１１０３Ｂが表示すべきページや行などを示す情報を第１の表示制御部１１０３Ｂに受け渡す。あるいは、ページ制御部１１０２Ｃは、第１の表示制御部１１０３Ｂに現在表示中のページの５ページ先を表示する旨の第３の指令を与えてもよい。
【０３９３】
ページ制御部１１０２Ｃは、テキストが縦書きで表示されている場合、第４の操作命令を受け付けて、第１の表示制御部１１０３Ｂが表示すべきページを前に戻す。たとえば、ページ制御部１１０２Ｃは、第４の操作命令を受け付けて、第１の表示制御部１１０３Ｂが表示すべきページや行などを示す情報を第１の表示制御部１１０３Ｂに受け渡す。あるいは、ページ制御部１１０２Ｃは、第１の表示制御部１１０３Ｂに現在表示中のページの５ページ前を表示する旨の第４の指令を与えてもよい。
【０３９４】
一方、ページ制御部１１０２Ｃは、テキストが横書きで表示されている場合、第１の操作命令を受け付けて、第１の表示制御部１１０３Ｂが表示すべきページを前に戻す。たとえば、ページ制御部１１０２Ｃは、第１の操作命令を受け付けて、第１の表示制御部１１０３Ｂが表示すべきページや行などを示す情報を第１の表示制御部１１０３Ｂに受け渡す。あるいは、ページ制御部１１０２Ｃは、第１の表示制御部１１０３Ｂに現在表示中のページの前のページを表示する旨の第２の指令を与えてもよい。
【０３９５】
ページ制御部１１０２Ｃは、テキストが横書きで表示されている場合、第２の操作命令を受け付けて、第１の表示制御部１１０３Ｂが表示すべきページを先に進める。たとえば、ページ制御部１１０２Ｃは、第２の操作命令を受け付けて、第１の表示制御部１１０３Ｂが表示すべきページや行などを示す情報を第１の表示制御部１１０３Ｂに受け渡す。あるいは、ページ制御部１１０２Ｃは、第１の表示制御部１１０３Ｂに現在表示中のページの次のページを表示する旨の第１の指令を与えてもよい。
【０３９６】
ページ制御部１１０２Ｃは、テキストが横書きで表示されている場合、第３の操作命令を受け付けて、第１の表示制御部１１０３Ｂが表示すべきページを前に戻す。たとえば、ページ制御部１１０２Ｃは、第３の操作命令を受け付けて、第１の表示制御部１１０３Ｂが表示すべきページや行などを示す情報を第１の表示制御部１１０３Ｂに受け渡す。あるいは、ページ制御部１１０２Ｃは、第１の表示制御部１１０３Ｂに現在表示中のページの５ページ前を表示する旨の第４の指令を与えてもよい。
【０３９７】
ページ制御部１１０２Ｃは、テキストが横書きで表示されている場合、第４の操作命令を受け付けて、第１の表示制御部１１０３Ｂが表示すべきページを先に進める。たとえば、ページ制御部１１０２Ｃは、第４の操作命令を受け付けて、第１の表示制御部１１０３Ｂが表示すべきページや行などを示す情報を第１の表示制御部１１０３Ｂに受け渡す。あるいは、ページ制御部１１０２Ｃは、第１の表示制御部１１０３Ｂに現在表示中のページの５ページ先を表示する旨の第３の指令を与えてもよい。
【０３９８】
第１の表示制御部１１０３Ｂは、ページ制御部１１０２Ｃからのページ指定を受け付けて、テキストデータ１７１Ａに基づいて、第１の表示パネル１４０を介してテキストを表示する。すなわち、第１の表示制御部１１０３Ｂは、ページ制御部１１０２Ｃから第１の指令を受け付けて、図２９（Ｃ）および図３２（Ｃ）に示すように、テキストの４ページ目を表示する。第１の表示制御部１１０３Ｂは、ページ制御部１１０２Ｃからの第２の指令を受け付けて、図３０（Ｃ）および図３１（Ｃ）に示すように、テキストの２ページ目を表示する。
【０３９９】
第１の表示制御部１１０３Ｂは、ページ制御部１１０２Ｃから第３の指令を受け付けて、図２９（Ｅ）および図３２（Ｅ）に示すように、テキストの８ページ目を表示する。第１の表示制御部１１０３Ｂは、図３０（Ｅ）および図３１（Ｅ）に示すように、ページ制御部１１０２Ｃからの第４の指令を受け付けて、テキストの最初のページを表示する。
【０４００】
なお、本実施の形態においては、受付部１１０１Ｂとページ制御部１１０２Ｃと第１の表示制御部１１０３Ｂと第２の表示制御部１１１０とを異なる機能ブロックとして説明した。しかしながら、それらの２つ以上を１つの機能ブロックにまとめてもよいし、それらの１つを２つ以上の機能ブロックに分割してもよい。
【０４０１】
たとえば、受付部１１０１Ｃと第２の表示制御部１１１０とがＣＰＵ２１０が実現する１つのモジュールとして構成され、ページ制御部１１０２Ｃと第１の表示制御部１１０３ＢとがＣＰＵ１１０が実現する１つのモジュールとして構成されてもよい。この場合には、ＣＰＵ２１０からＣＰＵ１１０へと、第１〜第４の操作命令が受け渡される。
【０４０２】
＜縦処理＞
次に、図３、図２９、図３０、図３３、図３４などを参照して、本実施の形態に係る電子機器１００Ｙにおける縦処理（ステップＳ２００）について説明する。なお、表示処理については、実施の形態１に係る図２１と同様であるため、ここでは説明を繰り返さない。すなわち、ここでは、テキストが縦書きで表示されている場合についての処理について説明する。図３４は、本実施の形態に係る電子機器１００Ｙにおける縦処理（ステップＳ２００）の処理手順を示すフローチャートである。
【０４０３】
まず、受付部１１０１Ｃとして機能するＣＰＵ１１０（ＣＰＵ２１０）は、第２の表示パネル２４０を介して、右方向へのタッチ操作を受け付けたか否かを判断する（ステップＳ２３２）。すなわち、ＣＰＵ１１０は、第２の表示パネル２４０の接触箇所が右方向に移動したか否かを判断する。ＣＰＵ１１０は、右方向へのタッチ操作を受け付けた場合（ステップＳ２３２にてＹＥＳである場合）、タッチ操作の起点が第１のエリア内に位置するか否かを判断する（ステップＳ２３４）。
【０４０４】
ページ制御部１１０２Ｃとして機能するＣＰＵ１１０は、タッチ操作の起点が第１のエリア内に位置する場合（ステップＳ２３４にてＹＥＳである場合）、現在表示されているページを１ページ進めるための指示を生成する。図２９（Ｃ）に示すように、第１の表示制御部１１０３Ｂとして機能するＣＰＵ１１０は、第１の表示パネル１４０を介して、テキストの次のページ（４ページ目）を表示する（ステップＳ２３６）。
【０４０５】
ページ制御部１１０２Ｃとして機能するＣＰＵ１１０は、タッチ操作の起点が第１のエリア内に位置しない場合（ステップＳ２３４にてＮＯである場合）、タッチ操作の起点が第３のエリア内に位置するか否かを判断する（ステップＳ２３８）。ＣＰＵ１１０は、タッチ操作の起点が第３のエリア内に位置する場合（ステップＳ２３８においてＹＥＳである場合）、現在表示されているページを５ページ進めるための指示を生成する。図２９（Ｅ）に示すように、第１の表示制御部１１０３Ｂとして機能するＣＰＵ１１０は、第１の表示パネル１４０を介して、テキストの５ページ先（８ページ目）を表示する（ステップＳ２４０）。
【０４０６】
ＣＰＵ１１０は、タッチ操作の起点が第３のエリア内に位置しない場合（ステップＳ２３８においてＮＯである場合）、表示処理へと戻る。
【０４０７】
一方、ＣＰＵ１１０は、右方向へのタッチ操作を受け付けない場合（ステップＳ２３２においてＮＯである場合）、第２の表示パネル２４０を介して、左方向へのタッチ操作を受け付けたか否かを判断する（ステップＳ２４２）。すなわち、ＣＰＵ１１０は、第２の表示パネル２４０の接触箇所が左方向に移動したか否かを判断する。ＣＰＵ１１０は、左方向へのタッチ操作を受け付けた場合（ステップＳ２４２にてＹＥＳである場合）、タッチ操作の起点が第２のエリア内に位置するか否かを判断する（ステップＳ２４４）。
【０４０８】
ページ制御部１１０２Ｃとして機能するＣＰＵ１１０は、タッチ操作の起点が第２のエリア内に位置する場合（ステップＳ２４４にてＹＥＳである場合）、現在表示されているページを１ページ戻すための指示を生成する。図３０（Ｃ）に示すように、第１の表示制御部１１０３Ｂとして機能するＣＰＵ１１０は、第１の表示パネル１４０を介して、テキストの前のページ（２ページ目）を表示する（ステップＳ２４６）。
【０４０９】
ページ制御部１１０２Ｃとして機能するＣＰＵ１１０は、タッチ操作の起点が第２のエリア内に位置しない場合（ステップＳ２４４にてＮＯである場合）、タッチ操作の起点が第４のエリア内に位置するか否かを判断する（ステップＳ２４８）。ＣＰＵ１１０は、タッチ操作の起点が第４のエリア内に位置する場合（ステップＳ２４８においてＹＥＳである場合）、現在表示されているページを５ページ戻すための指示を生成する。図３０（Ｅ）に示すように、第１の表示制御部１１０３Ｂとして機能するＣＰＵ１１０は、第１の表示パネル１４０を介して、テキストの５ページ前（ここでは最初のページ）を表示する（ステップＳ２５０）。
【０４１０】
ＣＰＵ１１０は、左方向のタッチ操作を受け付けない場合（ステップＳ２４２においてＮＯである場合）、タッチ操作の起点が第４のエリア内に位置しない場合（ステップＳ２４８においてＮＯである場合）、新たなページを表示した場合（ステップＳ２３６、ステップＳ２４０、ステップＳ２４６、ステップＳ２５０）、縦処理（ステップＳ２００）を終了する。
【０４１１】
＜横処理＞
次に、図３、図３１、図３２、図３３、図３５などを参照して、本実施の形態に係る電子機器１００Ｙにおける横処理（ステップＳ３００）について説明する。なお、表示処理については、実施の形態１に係る図２１と同様であるため、ここでは説明を繰り返さない。すなわち、ここでは、テキストが横書きで表示されている場合についての処理について説明する。図３５は、本実施の形態に係る電子機器１００Ｙにおける横処理（ステップＳ３００）の処理手順を示すフローチャートである。
【０４１２】
まず、受付部１１０１Ｃとして機能するＣＰＵ１１０（ＣＰＵ２１０）は、第２の表示パネル２４０を介して、右方向へのタッチ操作を受け付けたか否かを判断する（ステップＳ３３２）。すなわち、ＣＰＵ１１０は、第２の表示パネル２４０の接触箇所が右方向に移動したか否かを判断する。ＣＰＵ１１０は、右方向へのタッチ操作を受け付けた場合（ステップＳ３３２にてＹＥＳである場合）、タッチ操作の起点が第２のエリア内に位置するか否かを判断する（ステップＳ３３４）。
【０４１３】
ページ制御部１１０２Ｃとして機能するＣＰＵ１１０は、タッチ操作の起点が第２のエリア内に位置する場合（ステップＳ３３４にてＹＥＳである場合）、現在表示されているページを１ページ戻るための指示を生成する。図３１（Ｃ）に示すように、第１の表示制御部１１０３Ｂとして機能するＣＰＵ１１０は、第１の表示パネル１４０を介して、テキストの前のページ（２ページ目）を表示する（ステップＳ３３６）。
【０４１４】
ページ制御部１１０２Ｃとして機能するＣＰＵ１１０は、タッチ操作の起点が第２のエリア内に位置しない場合（ステップＳ３３４にてＮＯである場合）、タッチ操作の起点が第４のエリア内に位置するか否かを判断する（ステップＳ３３８）。ＣＰＵ１１０は、タッチ操作の起点が第４のエリア内に位置する場合（ステップＳ３３８においてＹＥＳである場合）、現在表示されているページを５ページ戻るための指示を生成する。図３１（Ｅ）に示すように、第１の表示制御部１１０３Ｂとして機能するＣＰＵ１１０は、第１の表示パネル１４０を介して、テキストの５ページ前（ここでは最初のページ）を表示する（ステップＳ３４０）。
【０４１５】
ＣＰＵ１１０は、タッチ操作の起点が第４のエリア内に位置しない場合（ステップＳ３３８においてＮＯである場合）、表示処理へと戻る。
【０４１６】
一方、ＣＰＵ１１０は、右方向へのタッチ操作を受け付けない場合（ステップＳ３３２においてＮＯである場合）、第２の表示パネル２４０を介して、左方向へのタッチ操作を受け付けたか否かを判断する（ステップＳ３４２）。すなわち、ＣＰＵ１１０は、第２の表示パネル２４０の接触箇所が左方向に移動したか否かを判断する。ＣＰＵ１１０は、左方向へのタッチ操作を受け付けた場合（ステップＳ３４２にてＹＥＳである場合）、タッチ操作の起点が第１のエリア内に位置するか否かを判断する（ステップＳ３４４）。
【０４１７】
ページ制御部１１０２Ｃとして機能するＣＰＵ１１０は、タッチ操作の起点が第１のエリア内に位置する場合（ステップＳ３４４にてＹＥＳである場合）、現在表示されているページを１ページ進めるための指示を生成する。図３２（Ｃ）に示すように、第１の表示制御部１１０３Ｂとして機能するＣＰＵ１１０は、第１の表示パネル１４０を介して、テキストの次のページ（４ページ目）を表示する（ステップＳ３４６）。
【０４１８】
ページ制御部１１０２Ｃとして機能するＣＰＵ１１０は、タッチ操作の起点が第１のエリア内に位置しない場合（ステップＳ３４４にてＮＯである場合）、タッチ操作の起点が第３のエリア内に位置するか否かを判断する（ステップＳ３４８）。ＣＰＵ１１０は、タッチ操作の起点が第３のエリア内に位置する場合（ステップＳ３４８においてＹＥＳである場合）、現在表示されているページを５ページ進めるための指示を生成する。図３２（Ｅ）に示すように、第１の表示制御部１１０３Ｂとして機能するＣＰＵ１１０は、第１の表示パネル１４０を介して、テキストの５ページ先（８ページ）を表示する（ステップＳ３５０）。
【０４１９】
ＣＰＵ１１０は、左方向のタッチ操作を受け付けない場合（ステップＳ３４２においてＮＯである場合）、タッチ操作の起点が第３のエリア内に位置しない場合（ステップＳ３４８においてＮＯである場合）、新たなページを表示した場合（ステップＳ３３６、ステップＳ３４０、ステップＳ３４６、ステップＳ３５０）、横処理（ステップＳ３００）を終了する。
【０４２０】
［実施の形態４］
次に、本発明の実施の形態４について説明する。上述の実施の形態２に係る電子機器１００Ｘは、テキストの表示方向と、タッチ操作のストロークの長さとに応じて、ページの切り替え処理が異なるものであった。一方、本実施の形態に係る電子機器１００Ｚは、テキストの表示方向と、タッチ操作した指の本数とに応じて、ページの切り替え処理が異なるものである。以下では、電子機器１００Ｚが、全ての文字を同じフォントにて表示する場合について説明する。
【０４２１】
＜電子機器１００Ｚの動作概要＞
以下では、本実施の形態に係る電子機器１００Ｚの動作概要について説明する。図３６は、本実施の形態に係る電子機器１００Ｚの外観を示すイメージ図である。より詳細には、図３６（Ａ）は第１の表示パネル１４０（あるいは表示装置１０２Ａ）がテキストの３ページ目を縦書きで表示した状態の電子機器１００Ｚのイメージ図である。図３６（Ｂ）は第２の表示パネル２４０（タッチパネル）に１本指によるタッチ操作が入力されたときの電子機器１００Ｚのイメージ図である。図３６（Ｃ）はテキストを１ページ進めた状態の電子機器１００Ｚのイメージ図である。図３６（Ｄ）は第２の表示パネル２４０（タッチパネル）に２本指によるタッチ操作が入力されたときの電子機器１００Ｚのイメージ図である。図３６（Ｅ）はテキストを５ページ進めた状態の電子機器１００Ｚのイメージ図である。
【０４２２】
ここでは、図３６（Ａ）〜図３６（Ｅ）を参照して、電子機器１００Ｚが、テキストを縦書きで表示する場合について説明する。
【０４２３】
図３６（Ａ）を参照して、電子機器１００Ｚは、第１の表示パネル１４０にテキストの３ページ目を縦書きで表示させる。より詳細には、電子機器１００Ｚは、ユーザからの操作を受け付けて、ユーザが所望するページを第１の表示パネル１４０に表示させる。電子機器１００Ｚは、第２の表示パネル２４０を介して、ユーザからのページ切り替え命令を受け付ける。
【０４２４】
図３６（Ｂ）を参照して、電子機器１００Ｚは、第２の表示パネル２４０を介して、ユーザから１本の指によるタッチ操作（シングルストローク）を受け付ける。すなわち、ユーザが、人差し指９００などを第２の表示パネル２４０に接触させた状態で、当該人差し指９００を右方向にスライドさせる。より詳細には、電子機器１００Ｚは、第２の表示パネル２４０と指９００との接触位置を検知することによって、右方向の１本の指によるタッチ操作を受け付ける。
【０４２５】
図３６（Ｃ）を参照して、電子機器１００Ｚは、第１の表示パネル１４０にテキストの４ページ目を表示させる。すなわち、電子機器１００Ｚは、テキストを縦書きで表示している際には、右方向への１本の指によるタッチ操作に応じて、表示しているテキストを１ページ先に進める。
【０４２６】
図３６（Ｄ）を参照して、電子機器１００Ｚは、第２の表示パネル２４０を介して、ユーザから右方向の２本の指によるタッチ操作（ダブルストローク）を受け付ける。すなわち、ユーザが、人差し指および中指９００などを第２の表示パネル２４０に接触させた状態で、人差し指および中指９００を右方向にスライドさせる。より詳細には、電子機器１００Ｚは、第２の表示パネル２４０と人差し指および中指９００の接触位置を検知することによって、右方向の２本の指によるタッチ操作を受け付ける。
【０４２７】
図３６（Ｅ）を参照して、電子機器１００Ｚは、第１の表示パネル１４０にテキストの８ページ目を表示させる。すなわち、電子機器１００Ｚは、テキストを縦書きで表示している際には、右方向への２本の指によるタッチ操作に応じて、表示しているテキストを５ページ先に進める。
【０４２８】
なお、電子機器１００Ｚが左方向のタッチ操作を受け付けた場合については、実施の形態１の図１と同様に、電子機器１００Ｚは右方向のタッチ操作を受け付けた場合の逆の処理を行う。そのため、電子機器１００Ｚが左方向のタッチ操作を受け付けた場合の動作概要の説明はここでは繰り返さない。
【０４２９】
また、電子機器１００Ｚがテキストを横書きで表示する場合については、実施の形態１の図１および図２と同様に、電子機器１００Ｚがテキストを縦書きで表示する場合の逆の処理を行う。そのため、電子機器１００Ｚがテキストを横書きで表示する場合の動作概要の説明はここでは繰り返さない。
【０４３０】
すなわち、本実施の形態に係る電子機器１００Ｚも、テキストが縦書きで表示されている場合と、テキストが横書きで表示されている場合とにおいて、入力操作に応じて電子機器１００Ｚが実行する処理が異なる。そして、本実施の形態に係る電子機器１００Ｚは、タッチ操作を行う指の本数に応じて、ページを進める（戻す）量を変更する。以下、このような機能を実現するための構成について詳述する。
【０４３１】
なお、本実施の形態に係るテキスト表示装置の一例である電子機器１００Ｚの全体構成、ハードウェア構成などは、実施の形態１に係る電子機器１００のそれと同様であるため、ここでは説明を繰り返さない。
【０４３２】
＜本実施の形態に係る電子機器１００Ｚの機能構成＞
以下では、図３、図３６、図３７などを参照して、本実施の形態に係る電子機器１００Ｚの機能構成について説明する。なお、図３７は、本実施の形態に係る電子機器１００Ｚの機能構成を示すブロック図である。以下では、実施の形態１に係る電子機器１００あるいは実施の形態２に係る電子機器１００Ｘあるいは実施の形態３に係る電子機器１００Ｙと同様の機能を有するブロックについては説明を繰り返さない。
【０４３３】
本実施の形態に係る電子機器１００Ｚは、受付部１１０１Ｄと、ページ制御部１１０２Ｃと、第１の表示制御部１１０３Ｂと、第２の表示制御部１１１０とを含む。また、電子機器１００Ｚは、図３にも示したように、ＲＡＭ１７１と、第１の表示パネル１４０（あるいは表示装置１０２Ａ）と、複数の光センサ回路２４４および複数の画素回路２４１とを含む第２の表示パネル２４０とを含む。
【０４３４】
受付部１１０１Ｄと、ページ制御部１１０２Ｃと、第１の表示制御部１１０３Ｂと、第２の表示制御部１１１０とは、ＣＰＵ１１０などによって実現される機能である。より詳細には、ＣＰＵ１１０が有する各機能は、ＣＰＵ１１０がＲＡＭ１７１などに記憶される制御プログラムを実行して、図３に示される各ハードウェアを制御することによって実現される機能である。
【０４３５】
あるいは、第２の表示制御部１１１０、受付部１１０１Ｄ、ページ制御部１１０２Ｃ、第１の表示制御部１１０３Ｂのいずれかが、ＣＰＵ２１０などによって実現されてもよい。より詳細には、ＣＰＵ２１０がＲＡＭ２７１などに記憶される制御プログラムを実行して、図３に示される各ハードウェアを制御することによって、受付部１１０１Ｄ、ページ制御部１１０２Ｃ、第１の表示制御部１１０３Ｂ、第２の表示制御部１１１０のいずれかを実現してもよい。
【０４３６】
本実施の形態に係る第１の表示制御部１１０３Ｂは、表示されている文字を全て同じフォントで表示するものとする。
【０４３７】
受付部１１０１Ｄは、操作キー１７７からの電気信号、あるいは複数の光センサ回路２４４から画像処理エンジン２８０を介して入力される電気信号に基づいて、第２の表示パネル２４０に入力された操作命令や移動命令などを受け付ける。より詳細には、受付部１１０１Ｄは、センシング時間毎に第２の表示パネル２４０の画像処理エンジン２８０から出力される画像データを取得して、当該画像データに基づいて操作命令や移動命令などを生成する。
【０４３８】
受付部１１０１Ｄは、第２の表示パネル２４０を介して検出される指９００と第２の表示パネル２４０との接触位置の各々の移動方向を判断する方向判断部１１０４Ｄを含む。ただし、方向判断部１１０４Ｄは、接触位置の中心座標の移動方向を判断してもよい。方向判断部１１０４Ｄは、接触位置の各々あるいは接触位置の中心座標が右方向へ移動したか否かを判断する。また、方向判断部１１０４Ｄは、接触位置の各々あるいは接触位置の中心座標が左方向へ移動したか否かを判断する。
【０４３９】
受付部１１０１Ｄは、接触位置（接触箇所）の個数を判断する個数判断部１１０８を含む。より詳細には、個数判断部１１０８は、第２の表示パネル２４０から順次受け付ける画像データに基づいて、接触箇所の個数を検知する。個数判断部１１０８は、後述する命令判断部１１０５Ｄに、接触箇所が単数であるか複数であるか示す情報を受け渡してもよいし、接触箇所の個数を示す情報を受け渡してもよい。
【０４４０】
受付部１１０１Ｄは、方向判断部１１０４Ｄからの判断結果と個数判断部１１０８からの判断結果とに基づいて、ユーザからの操作命令を判断する命令判断部１１０５Ｄを含む。命令判断部１１０５Ｄは、図３６（Ｂ）に示すように、接触位置が右方向へ移動したと判断した場合、かつ接触位置が１つであると判断した場合に、第１の操作命令を受け付けたと判断する。命令判断部１１０５Ｄは、図３６（Ｄ）に示すように、接触位置が右方向へ移動したと判断した場合、かつ接触位置が複数であると判断した場合に、第３の操作命令を受け付けたと判断する。
【０４４１】
一方、命令判断部１１０５Ｄは、接触位置が左方向へ移動したと判断した場合、かつ接触位置が単数であると判断した場合に、第２の操作命令を受け付けたと判断する。命令判断部１１０５Ｄは、接触位置が左方向へ移動したと判断した場合、かつ接触位置が複数であると判断した場合に、第４の操作命令を受け付けたと判断する。
【０４４２】
＜縦処理＞
次に、図３、図３６、図３７、図３８などを参照して、本実施の形態に係る電子機器１００Ｚにおける縦処理（ステップＳ２００）について説明する。なお、表示処理については、実施の形態１に係る図２１と同様であるため、ここでは説明を繰り返さない。すなわち、ここでは、テキストが縦書きで表示されている場合についての処理について説明する。図３８は、本実施の形態に係る電子機器１００Ｚにおける縦処理（ステップＳ２００）の処理手順を示すフローチャートである。
【０４４３】
まず、受付部１１０１Ｄとして機能するＣＰＵ１１０（ＣＰＵ２１０）は、第２の表示パネル２４０を介して、右方向へのタッチ操作を受け付けたか否かを判断する（ステップＳ２６２）。すなわち、ＣＰＵ１１０は、第２の表示パネル２４０の接触箇所が右方向に移動したか否かを判断する。ＣＰＵ１１０は、右方向へのタッチ操作を受け付けた場合（ステップＳ２６２にてＹＥＳである場合）、接触箇所が１つであるか否かを判断する（ステップＳ２６４）。
【０４４４】
ページ制御部１１０２Ｃとして機能するＣＰＵ１１０は、接触箇所が１つである場合、すなわちタッチ操作が１本の指で行われた場合（ステップＳ２６４にてＹＥＳである場合）、現在表示されているページを１ページ進めるための指示を生成する。図３６（Ｃ）に示すように、第１の表示制御部１１０３Ｂとして機能するＣＰＵ１１０は、第１の表示パネル１４０を介して、テキストの次のページを表示する（ステップＳ２６６）。
【０４４５】
ページ制御部１１０２Ｃとして機能するＣＰＵ１１０は、接触箇所が複数である場合、すなわちタッチ操作が複数本の指で行われた場合（ステップＳ２６４にてＮＯである場合）、現在表示されているページを５ページ進めるための指示を生成する。図３６（Ｅ）に示すように、第１の表示制御部１１０３Ｂとして機能するＣＰＵ１１０は、第１の表示パネル１４０を介して、５ページ進めたテキストを表示する（ステップＳ２６８）。
【０４４６】
一方、受付部１１０１Ｄとして機能するＣＰＵ１１０は、右方向のタッチ操作を受け付けない場合（ステップＳ２６２にてＮＯである場合）、第２の表示パネル２４０を介して、左方向へのタッチ操作を受け付けたか否かを判断する（ステップＳ２７０）。すなわち、ＣＰＵ１１０は、第２の表示パネル２４０の接触箇所が左方向に移動したか否かを判断する。ＣＰＵ１１０は、左方向へのタッチ操作を受け付けた場合（ステップＳ２７０にてＹＥＳである場合）、接触箇所が１つであるか否かを判断する（ステップＳ２７２）。
【０４４７】
ページ制御部１１０２Ｃとして機能するＣＰＵ１１０は、接触箇所が１つである場合、すなわちタッチ操作が１本の指で行われた場合（ステップＳ２７２にてＹＥＳである場合）、現在表示されているページを１ページ戻すための指示を生成する。第１の表示制御部１１０３Ｂとして機能するＣＰＵ１１０は、第１の表示パネル１４０を介して、テキストの前のページを表示する（ステップＳ２７４）。
【０４４８】
ページ制御部１１０２Ｃとして機能するＣＰＵ１１０は、接触箇所が複数である場合、すなわちタッチ操作が複数本の指で行われた場合（ステップＳ２７２にてＮＯである場合）、現在表示されているページを５ページ戻すための指示を生成する。第１の表示制御部１１０３Ｂとして機能するＣＰＵ１１０は、第１の表示パネル１４０を介して、５ページ戻したテキストを表示する（ステップＳ２７６）。
【０４４９】
ＣＰＵ１１０は、左方向のタッチ操作を受け付けない場合（ステップＳ２７０においてＮＯである場合）、新たなページを表示した場合（ステップＳ２６６、ステップＳ２６８、ステップＳ２７４、ステップＳ２７６）、縦処理（ステップＳ２００）を終了する。
【０４５０】
＜横処理＞
次に、図３、図３６、図３７、図３９を参照して、本実施の形態に係る電子機器１００Ｚにおける横処理（ステップＳ３００）について説明する。なお、表示処理については、実施の形態１に係る図２１と同様であるため、ここでは説明を繰り返さない。すなわち、ここでは、テキストが横書きで表示されている場合についての処理について説明する。図３９は、本実施の形態に係る電子機器１００Ｚにおける横処理（ステップＳ３００）の処理手順を示すフローチャートである。
【０４５１】
まず、受付部１１０１Ｄとして機能するＣＰＵ１１０（ＣＰＵ２１０）は、第２の表示パネル２４０を介して、右方向へのタッチ操作を受け付けたか否かを判断する（ステップＳ３６２）。すなわち、ＣＰＵ１１０は、第２の表示パネル２４０の接触箇所が右方向に移動したか否かを判断する。ＣＰＵ１１０は、右方向へのタッチ操作を受け付けた場合（ステップＳ３６２にてＹＥＳである場合）、接触箇所が１つであるか否かを判断する（ステップＳ３６４）。
【０４５２】
ページ制御部１１０２Ｃとして機能するＣＰＵ１１０は、接触箇所が１つである場合、すなわちタッチ操作が１本の指で行われた場合（ステップＳ３６４にてＹＥＳである場合）、現在表示されているページを１ページ戻すための指示を生成する。第１の表示制御部１１０３Ｂとして機能するＣＰＵ１１０は、第１の表示パネル１４０を介して、テキストの前のページを表示する（ステップＳ３６６）。
【０４５３】
ページ制御部１１０２Ｃとして機能するＣＰＵ１１０は、接触箇所が複数である場合、すなわちタッチ操作が複数本の指で行われた場合（ステップＳ３６４にてＮＯである場合）、現在表示されているページを５ページ戻すための指示を生成する。第１の表示制御部１１０３Ｂとして機能するＣＰＵ１１０は、第１の表示パネル１４０を介して、５ページ戻したテキストを表示する（ステップＳ３６８）。
【０４５４】
一方、受付部１１０１Ｄとして機能するＣＰＵ１１０は、右方向のタッチ操作を受け付けない場合（ステップＳ３６２にてＮＯである場合）、第２の表示パネル２４０を介して、左方向へのタッチ操作を受け付けたか否かを判断する（ステップＳ３７０）。すなわち、ＣＰＵ１１０は、第２の表示パネル２４０の接触箇所が左方向に移動したか否かを判断する。ＣＰＵ１１０は、左方向へのタッチ操作を受け付けた場合（ステップＳ３７０にてＹＥＳである場合）、接触箇所が１つであるか否かを判断する（ステップＳ３７２）。
【０４５５】
ページ制御部１１０２Ｃとして機能するＣＰＵ１１０は、接触箇所が１つである場合、すなわちタッチ操作が１本の指で行われた場合（ステップＳ３７２にてＹＥＳである場合）、現在表示されているページを１ページ進めるための指示を生成する。第１の表示制御部１１０３Ｂとして機能するＣＰＵ１１０は、第１の表示パネル１４０を介して、テキストの次のページを表示する（ステップＳ３７４）。
【０４５６】
ページ制御部１１０２Ｃとして機能するＣＰＵ１１０は、接触箇所が複数である場合、すなわちタッチ操作が複数本の指で行われた場合（ステップＳ３７２にてＮＯである場合）、現在表示されているページを５ページ進めるための指示を生成する。第１の表示制御部１１０３Ｂとして機能するＣＰＵ１１０は、第１の表示パネル１４０を介して、５ページ進めたテキストを表示する（ステップＳ３７６）。
【０４５７】
ＣＰＵ１１０は、左方向のタッチ操作を受け付けない場合（ステップＳ３７０においてＮＯである場合）、新たなページを表示した場合（ステップＳ３６６、ステップＳ３６８、ステップＳ３７４、ステップＳ３７６）、縦処理（ステップＳ３００）を終了する。
【０４５８】
＜変形例＞
本実施の形態に係る電子機器１００Ｚは、テキストの表示方向と、タッチ操作した指の本数とに応じて、ページの切り替え処理が異なるものである。特に、上記の電子機器１００Ｚは、接触箇所の個数に基づいて、タッチした指の本数を認識するものである。しかしながら、電子機器１００Ｚは、接触領域の面積に基づいて上記の指の本数を認識してもよい。また、電子機器１００Ｚは、指の本数を介さずに、接触領域の面積に基づいてページを進める（戻す）量を変更してもよい。また、電子機器１００Ｚは、第２の表示パネル２４０に接触した指の種類（親指であるか否か）に基づいて、ページを進める（戻す）量を変更してもよい。
【０４５９】
以下では、図３、図３６、図４０などを参照して、本実施の形態に係る電子機器１００Ｚの１つの変形例の機能構成について説明する。より詳細には、変形例に係る電子機器１００Ｚは、接触領域の面積に応じて、ページを進める（戻す）量を変更するものである。なお、図４０は、本実施の形態に係る電子機器１００Ｚの変形例の機能構成を示すブロック図である。以下では、実施の形態４に係る電子機器１００Ｚと同様の機能を有するブロックについては説明を繰り返さない。
【０４６０】
本変形例に係る受付部１１０１Ｅは、上記の受付部１１０１Ｄと比較して、方向判断部１１０４Ｅと形状判断部１１０９と命令判断部１１０５Ｅの構成が異なるものである。
【０４６１】
すなわち、受付部１１０１Ｅは、第２の表示パネル２４０を介して検出される指９００と第２の表示パネル２４０との接触領域の移動方向を判断する方向判断部１１０４Ｅを含む。ただし、方向判断部１１０４Ｅは、接触領域が複数ある場合には、当該接触領域の重心座標の移動方向を判断してもよい。方向判断部１１０４Ｅは、接触領域あるいは接触領域の重心座標が右方向へ移動したか否かを判断する。また、方向判断部１１０４Ｄは、接触領域あるいは接触領域の重心座標が左方向へ移動したか否かを判断する。
【０４６２】
受付部１１０１Ｅは、接触領域の形状を判断する形状判断部１１０９を含む。より詳細には、形状判断部１１０９は、第２の表示パネル２４０から順次受け付ける画像データに基づいて、接触領域の形状が所定の条件を満たすか否かを判断する。たとえば、形状判断部１１０９は、接触領域の面積が所定の値未満であるか否かを判断する。あるいは、形状判断部１１０９は、接触領域の面積が所定の値以上であるか否かを判断する。
【０４６３】
あるいは、形状判断部１１０９は、接触領域の形状が親指（あるいはその他の指）の形状と実質的に一致するか否かを判断する。すなわち、形状判断部１１０９は、あらかじめＲＡＭ１７１が記憶している親指（あるいはその他の指）の形状を示す画像データと、第２の表示パネル２４０から入力される画像データとに基づいて、パターンマッチングを行うことによって第２の表示パネル２４０にタッチした指の種類を判断してもよい。
【０４６４】
受付部１１０１Ｅは、方向判断部１１０４Ｅからの判断結果と形状判断部１１０９からの判断結果とに基づいて、ユーザからの操作命令を判断する命令判断部１１０５Ｅを含む。命令判断部１１０５Ｅは、図３６（Ｂ）に示すように、接触領域が右方向へ移動したと判断した場合、かつ接触領域の面積が所定値未満であると判断した場合に、第１の操作命令を受け付けたと判断する。命令判断部１１０５Ｅは、図３６（Ｄ）に示すように、接触領域が右方向へ移動したと判断した場合、かつ接触領域の面積が所定値以上であると判断した場合に、第３の操作命令を受け付けたと判断する。
【０４６５】
一方、命令判断部１１０５Ｅは、接触領域が左方向へ移動したと判断した場合、かつ接触領域の面積が所定値未満であると判断した場合に、第２の操作命令を受け付けたと判断する。命令判断部１１０５Ｅは、接触領域が左方向へ移動したと判断した場合、かつ接触領域の面積が所定値以上であると判断した場合に、第４の操作命令を受け付けたと判断する。
【０４６６】
ただし、命令判断部１１０５Ｅは、接触領域の面積が所定値以上である場合に、第１あるいは第２の操作命令を受け付けたと判断してもよい。命令判断部１１０５Ｅは、接触領域の形状に基づいて親指（あるいはその他の指）を介して操作を受け付けた際に、第１あるいは第２の操作命令を受け付けたと判断してもよい。
【０４６７】
＜縦処理＞
次に、図３、図３６、図４０、図４１などを参照して、本変形例に係る電子機器１００Ｚにおける縦処理（ステップＳ２００）について説明する。なお、表示処理については、実施の形態１に係る図２１と同様であるため、ここでは説明を繰り返さない。すなわち、ここでは、テキストが縦書きで表示されている場合についての処理について説明する。また、図３８と同様のステップについては説明を繰り返さない。図４１は、本変形例に係る電子機器１００Ｚにおける縦処理（ステップＳ２００）の処理手順を示すフローチャートである。
【０４６８】
受付部１１０１Ｅとして機能するＣＰＵ１１０は、右方向へのタッチ操作を受け付けた場合（ステップＳ２６２にてＹＥＳである場合）、接触領域の形状が所定の条件を見たすか否かを判断する（ステップＳ２８２）。
【０４６９】
ページ制御部１１０２Ｃとして機能するＣＰＵ１１０は、接触領域の形状が所定の条件を満たす場合（ステップＳ２８２にてＹＥＳである場合）、現在表示されているページを１ページ進めるための指示を生成する。図３６（Ｃ）に示すように、第１の表示制御部１１０３Ｂとして機能するＣＰＵ１１０は、第１の表示パネル１４０を介して、テキストの次のページを表示する（ステップＳ２６６）。
【０４７０】
ＣＰＵ１１０は、接触領域の形状が所定の条件を満たさない場合（ステップＳ２８２にてＮＯである場合）、現在表示されているページを５ページ進めるための指示を生成する。図３６（Ｅ）に示すように、第１の表示制御部１１０３Ｂとして機能するＣＰＵ１１０は、第１の表示パネル１４０を介して、５ページ進めたテキストを表示する（ステップＳ２６８）。
【０４７１】
受付部１１０１Ｄとして機能するＣＰＵ１１０は、左方向へのタッチ操作を受け付けた場合（ステップＳ２７０にてＹＥＳである場合）、接触領域の形状が所定の条件を満たすか否かを判断する（ステップＳ２８４）。
【０４７２】
ページ制御部１１０２Ｃとして機能するＣＰＵ１１０は、接触領域の形状が所定の条件を満たす場合（ステップＳ２８４にてＹＥＳである場合）、現在表示されているページを１ページ戻すための指示を生成する。第１の表示制御部１１０３Ｂとして機能するＣＰＵ１１０は、第１の表示パネル１４０を介して、テキストの前のページを表示する（ステップＳ２７４）。
【０４７３】
ＣＰＵ１１０は、接触領域の形状が所定の条件を満たさない場合（ステップＳ２８４にてＮＯである場合）、現在表示されているページを５ページ戻すための指示を生成する。第１の表示制御部１１０３Ｂとして機能するＣＰＵ１１０は、第１の表示パネル１４０を介して、５ページ戻したテキストを表示する（ステップＳ２７６）。
【０４７４】
＜横処理＞
次に、図３、図３６、図４０、図４２を参照して、本変形例に係る電子機器１００Ｚにおける横処理（ステップＳ３００）について説明する。なお、表示処理については、実施の形態１に係る図２１と同様であるため、ここでは説明を繰り返さない。すなわち、ここでは、テキストが横書きで表示されている場合についての処理について説明する。また、図３８と同様のステップについては説明を繰り返さない。図４２は、本変形例に係る電子機器１００Ｚにおける横処理（ステップＳ３００）の処理手順を示すフローチャートである。
【０４７５】
受付部１１０１Ｅとして機能するＣＰＵ１１０は、右方向へのタッチ操作を受け付けた場合（ステップＳ３６２にてＹＥＳである場合）、接触領域の形状が所定の条件を見たすか否かを判断する（ステップＳ３８２）。
【０４７６】
ページ制御部１１０２Ｃとして機能するＣＰＵ１１０は、接触領域の形状が所定の条件を満たす場合（ステップＳ３８２にてＹＥＳである場合）、現在表示されているページを１ページ戻すための指示を生成する。第１の表示制御部１１０３Ｂとして機能するＣＰＵ１１０は、第１の表示パネル１４０を介して、テキストの前のページを表示する（ステップＳ３６６）。
【０４７７】
ＣＰＵ１１０は、接触領域の形状が所定の条件を満たさない場合（ステップＳ３８２にてＮＯである場合）、現在表示されているページを５ページ戻すための指示を生成する。第１の表示制御部１１０３Ｂとして機能するＣＰＵ１１０は、第１の表示パネル１４０を介して、５ページ戻したテキストを表示する（ステップＳ３６８）。
【０４７８】
受付部１１０１Ｄとして機能するＣＰＵ１１０は、左方向へのタッチ操作を受け付けた場合（ステップＳ３７０にてＹＥＳである場合）、接触領域の形状が所定の条件を満たすか否かを判断する（ステップＳ３８４）。
【０４７９】
ページ制御部１１０２Ｃとして機能するＣＰＵ１１０は、接触領域の形状が所定の条件を満たす場合（ステップＳ３８４にてＹＥＳである場合）、現在表示されているページを１ページ進めるための指示を生成する。第１の表示制御部１１０３Ｂとして機能するＣＰＵ１１０は、第１の表示パネル１４０を介して、テキストの次のページを表示する（ステップＳ３７４）。
【０４８０】
ＣＰＵ１１０は、接触領域の形状が所定の条件を満たさない場合（ステップＳ３８４にてＮＯである場合）、現在表示されているページを５ページ進めるための指示を生成する。第１の表示制御部１１０３Ｂとして機能するＣＰＵ１１０は、第１の表示パネル１４０を介して、５ページ進めたテキストを表示する（ステップＳ３７６）。
【０４８１】
＜その他の実施の形態＞
本発明は、システム或いは装置にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０４８２】
この場合、記憶媒体から読出されたプログラムコード自体が前述した実施の形態の機能を実現することになり、そのプログラムコードを記憶した記憶媒体は本発明を構成することになる。
【０４８３】
プログラムコードを供給するための記憶媒体としては、例えば、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０４８４】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０４８５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０４８６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０４８７】
１００，１００Ｘ，１００Ｙ，１００Ｚ  電子機器、１０１  本体装置、１０２，１０２Ａ，１０３  表示装置、１１０  ＣＰＵ、１１０１，１１０１Ｂ，１１０１Ｃ，１１０１Ｄ，１１０１Ｅ  受付部、１１０２，１１０２Ｂ，１１０２Ｃ  ページ制御部、１１０３，１１０３Ｂ  第１の表示制御部、１１０４，１１０４Ｄ，１１０４Ｅ  方向判断部、１１０５，１１０５Ｂ，１１０５Ｃ，１１０５Ｄ，１１０５Ｅ  命令判断部、１１０６  距離判断部、１１０７  エリア判断部、１１０８  個数判断部、１１０９  形状判断部、１１１０，１１１０Ｃ  第２の表示制御部、１３０  ドライバ、１３１  走査信号線駆動回路、１３２  データ信号線駆動回路、１３３  光センサ駆動回路、１３４  スイッチ、１３５  アンプ、１４０  第１の光センサ内蔵液晶パネル（第１の表示パネル）、１４１，２４１  画素回路、１４１ｂ，１４１ｇ，１４１ｒ  サブピクセル回路、１４３  電極対、１４３ａ  画素電極、１４３ｂ  対向電極、１４４，２４４  光センサ回路、１４５，１４５ｂ，１４５ｇ，１４５ｒ  フォトダイオード、１４６  コンデンサ、１５１Ａ  アクティブマトリクス基板、１５１Ｂ  対向基板、１５２  液晶層、１５３ｂ，１５３ｇ，１５３ｒ  カラーフィルタ、１５７  データ信号線、１６１  偏光フィルタ、１６２  ガラス基板、１６３  遮光膜、１６４  配向膜、１７１  ＲＡＭ、１７３  メモリカードリーダライタ、１７４  通信装置、１７５  マイク、１７６  スピーカ、１７７  操作キー、１７９  バックライト、１８０  画像処理エンジン、１８１  ドライバ制御部、１８２  タイマ、１８３  信号処理部、２４０  第２の光センサ内蔵液晶パネル（第２の表示パネル）、１００１  第１のユニット、１００２  第２のユニット、１７３１  メモリカード、ＤＢ１，ＤＢ２  データバス。
【図１】
2010204729.tif 000003
【図２】
2010204729.tif 000004
【図３】
2010204729.tif 000005
【図４】
2010204729.tif 000006
【図５】
2010204729.tif 000007
【図６】
2010204729.tif 000008
【図７】
2010204729.tif 000009
【図８】
2010204729.tif 000010
【図９】
2010204729.tif 000011
【図１０】
2010204729.tif 000012
【図１１】
2010204729.tif 000013
【図１２】
2010204729.tif 000014
【図１３】
2010204729.tif 000015
【図１４】
2010204729.tif 000016
【図１５】
2010204729.tif 000017
【図１６】
2010204729.tif 000018
【図１７】
2010204729.tif 000019
【図１８】
2010204729.tif 000020
【図１９】
2010204729.tif 000021
【図２０】
2010204729.tif 000022
【図２１】
2010204729.tif 000023
【図２２】
2010204729.tif 000024
【図２３】
2010204729.tif 000025
【図２４】
2010204729.tif 000026
【図２５】
2010204729.tif 000027
【図２６】
2010204729.tif 000028
【図２７】
2010204729.tif 000029
【図２８】
2010204729.tif 000030
【図２９】
2010204729.tif 000031
【図３０】
2010204729.tif 000032
【図３１】
2010204729.tif 000033
【図３２】
2010204729.tif 000034
【図３３】
2010204729.tif 000035
【図３４】
2010204729.tif 000036
【図３５】
2010204729.tif 000037
【図３６】
2010204729.tif 000038
【図３７】
2010204729.tif 000039
【図３８】
2010204729.tif 000040
【図３９】
2010204729.tif 000041
【図４０】
2010204729.tif 000042
【図４１】
2010204729.tif 000043
【図４２】
2010204729.tif 000044